(57)【要約】      （修正有）【課題】有利期間を用いて商品性を向上させることができる遊技機を提供する。【解決手段】遊技機は、ボーナスとして、設定値記憶手段に記憶される設定値によらず内部抽選における当選確率が同一のＲＢＢと、設定値記憶手段に記憶される設定値によって内部抽選における当選確率が変更されるＣＢＢと、を有する。指示機能状態制御手段は、複数の指示機能状態のうちＣＺ状態を開始してから特定期間が経過した場合に、特定期間が経過したことに基づく指示機能に係る処理である特定指示機能処理を実行し、有利期間制御手段によって有利期間が開始された状態でＲＢＢ及びＣＢＢのいずれかの作動に係る契機が成立（時点ｔ２、時点ｔ５）した場合に、特定期間に係る設定を行う処理である期間設定処理（ステップＳ２）を実行する。【選択図】図８
2019107240.tif 000002
【特許請求の範囲】
【請求項１】
外周面に複数種類の図柄が配列されている複数のリールと、
遊技者による開始操作を検出するスタートスイッチと、
小役、リプレイ及びボーナスを含む複数種類の役の当否を決定する内部抽選を行う内部抽選手段と、
前記内部抽選手段による前記内部抽選における役の当選確率を変更可能な値である設定値を変更可能な設定変更手段と、
前記設定値を記憶する設定値記憶手段と、
前記複数のリールに対応して設けられ、各リールを停止させるための停止操作を検出するストップスイッチと、
前記スタートスイッチによる前記開始操作の検出に基づいて、前記複数のリールを回転させ、前記ストップスイッチによる前記停止操作の検出及び前記内部抽選手段により決定された前記内部抽選の結果に基づいて、回転中の前記リールを停止させるリール停止制御を行うリール制御手段と、
前記複数のリールが停止した状態で、役ごとに予め定められた入賞形態を示す図柄組合せが有効ライン上に表示されたことに基づいて、役が入賞したと判定する入賞判定手段と、
複数の遊技状態の間での遊技状態の移行に係る制御を実行する遊技状態移行制御手段と、
特定役の入賞を補助する入賞補助制御を実行可能な状態であるアシストタイム状態を含む複数の指示機能状態の間での指示機能状態の移行に係る制御を含む指示機能に係る制御を実行可能である指示機能状態制御手段と、を備え、
前記ボーナスは、
前記設定値記憶手段に記憶される前記設定値によらず前記内部抽選における当選確率が同一の第１ボーナスと、
前記設定値記憶手段に記憶される前記設定値によって前記内部抽選における当選確率が変更される第２ボーナスと、を含み、
前記リール制御手段による前記リール停止制御によって入賞形態を示す図柄組合せが有効ライン上に表示され前記ボーナスが入賞したと前記入賞判定手段に判定された場合に作動し、
前記指示機能状態制御手段は、
前記複数の指示機能状態のうち特定指示機能状態を開始してから特定期間が経過した場合に、前記特定期間が経過したことに基づく指示機能に係る処理である特定指示機能処理を実行し、
前記第１ボーナス及び前記第２ボーナスのいずれかの作動に係る契機が成立した場合に、前記特定期間に係る設定を行う処理である期間設定処理を実行する、
ことを特徴とする遊技機。
【請求項２】
外周面に複数種類の図柄が配列されている複数のリールと、
遊技者による開始操作を検出するスタートスイッチと、
小役、リプレイ及びボーナスを含む複数種類の役の当否を決定する内部抽選を行う内部抽選手段と、
前記内部抽選手段による前記内部抽選における役の当選確率を変更可能な値である設定値を変更可能な設定変更手段と、
前記設定値を記憶する設定値記憶手段と、
前記複数のリールに対応して設けられ、各リールを停止させるための停止操作を検出するストップスイッチと、
前記スタートスイッチによる前記開始操作の検出に基づいて、前記複数のリールを回転させ、前記ストップスイッチによる前記停止操作の検出及び前記内部抽選手段により決定された前記内部抽選の結果に基づいて、回転中の前記リールを停止させるリール停止制御を行うリール制御手段と、
前記複数のリールが停止した状態で、役ごとに予め定められた入賞形態を示す図柄組合せが有効ライン上に表示されたことに基づいて、役が入賞したと判定する入賞判定手段と、
複数の遊技状態の間での遊技状態の移行に係る制御を実行する遊技状態移行制御手段と、
特定役の入賞を補助する入賞補助制御を実行可能な状態であるアシストタイム状態を含む複数の指示機能状態の間での指示機能状態の移行に係る制御を含む指示機能に係る制御を実行可能である指示機能状態制御手段と、を備え、
前記ボーナスは、
前記設定値記憶手段に記憶される前記設定値によらず前記内部抽選における当選確率が同一の第１ボーナスと、
前記設定値記憶手段に記憶される前記設定値によって前記内部抽選における当選確率が変更される第２ボーナスと、を含み、
前記リール制御手段による前記リール停止制御によって入賞形態を示す図柄組合せが有効ライン上に表示され前記ボーナスが入賞したと前記入賞判定手段に判定された場合に作動し、
前記指示機能状態制御手段は、
前記複数の指示機能状態のうち特定指示機能状態を開始してから特定期間が経過した場合に、前記特定期間が経過したことに基づく指示機能に係る処理である特定指示機能処理を実行し、
前記第１ボーナス及び前記第２ボーナスを含む前記ボーナスが作動している状態で前記ボーナスを終了させる契機が成立した場合に、前記特定期間に係る設定を行う処理である期間設定処理を実行する、
ことを特徴とする遊技機。
【発明の詳細な説明】
【技術分野】
【０００１】
本発明は、遊技機に関する。
【背景技術】
【０００２】
従来、外周面に図柄が配列された複数のリールを備えた遊技機（回胴式遊技機、スロットマシン）が知られている。この種の遊技機は、メダルやパチンコ玉などの遊技媒体に対して一定の遊技価値を付与し、このような遊技媒体を獲得するための遊技を行うものである。また、この種の遊技機は、遊技者の回転開始操作を契機として、内部抽選を行うとともに複数のリールの回転を開始させ、遊技者の停止操作を契機として、内部抽選の結果に応じた態様で複数のリールを停止させる制御を行っている。そして、遊技の結果は、複数のリールが停止した状態における入賞判定ライン上に表示された図柄組合せによって判定され、遊技の結果に応じてメダル等の払い出しなどが行われる。
【０００３】
上述した遊技機においては、遊役の入賞を補助する入賞補助演出を実行する演出状態であるアシストタイム状態に移行することによって、役の入賞確率を変動させ、遊技媒体を獲得しやすくすることができる構成が知られている。また、役の当選確率を変更可能な設定値によって、アシストタイム状態を実行しやすくする技術が開示されている（例えば、特許文献１）。
【先行技術文献】
【特許文献】
【０００４】
【特許文献１】特開２０１１−６７４４９号公報
【発明の概要】
【発明が解決しようとする課題】
【０００５】
ここで、近年、遊技機においては、アシストタイム状態における入賞補助制御を含む指示機能に係る多彩な制御処理を実行可能にするとともに、特定の指示機能に係る制御処理を実行する契機について、ボーナスの当選を契機にする構成が知られている。また、遊技機においては、作動することで遊技媒体の払い出しに繋がるボーナスについて、設定値によって当選確率を変更することで、遊技媒体の払い出しに関して設定値によって差をつける構成も知られている。このような遊技機においては、指示機能に係る制御について設定値による差を設けないように構成するべく、設定値によって当選確率が変更されるボーナスの当選時に特定の指示機能に係る制御処理を実行しないように構成した場合、ボーナスの当選頻度と特定の指示機能に係る制御処理の実行頻度とに乖離が生じ、遊技機の商品性が低下してしまう虞がある。
【０００６】
そこで、本発明は、いずれの設定値においても商品性を維持することができる遊技機を提供することを目的としている。
【課題を解決するための手段】
【０００７】
（１）本発明は、外周面に複数種類の図柄が配列されている複数のリール（Ｒ１，Ｒ２，Ｒ３）と、
遊技者による開始操作を検出するスタートスイッチ（２３０）と、
小役、リプレイ及びボーナスを含む複数種類の役の当否を決定する内部抽選を行う内部抽選手段（１２０）と、
前記内部抽選手段による前記内部抽選における役の当選確率を変更可能な値である設定値を変更可能な設定変更手段（１００）と、
前記設定値を記憶する設定値記憶手段（１９１）と、
前記複数のリールに対応して設けられ、各リールを停止させるための停止操作を検出するストップスイッチ（２４０）と、
前記スタートスイッチによる前記開始操作の検出に基づいて、前記複数のリールを回転させ、前記ストップスイッチによる前記停止操作の検出及び前記内部抽選手段により決定された前記内部抽選の結果に基づいて、回転中の前記リールを停止させるリール停止制御を行うリール制御手段（１３０）と、
前記複数のリールが停止した状態で、役ごとに予め定められた入賞形態を示す図柄組合せが有効ライン（Ｌ１，Ｌ２，Ｌ３）上に表示されたことに基づいて、役が入賞したと判定する入賞判定手段（１４０）と、
複数の遊技状態の間での遊技状態の移行に係る制御を実行する遊技状態移行制御手段（１７０）と、
特定役の入賞を補助する入賞補助制御を実行可能な状態であるアシストタイム状態を含む複数の指示機能状態の間での指示機能状態の移行に係る制御を含む指示機能に係る制御を実行可能である指示機能状態制御手段（２００Ｂ）と、を備え、
前記ボーナスは、
前記設定値記憶手段に記憶される前記設定値によらず前記内部抽選における当選確率が同一の第１ボーナスと、
前記設定値記憶手段に記憶される前記設定値によって前記内部抽選における当選確率が変更される第２ボーナスと、を含み、
前記リール制御手段による前記リール停止制御によって入賞形態を示す図柄組合せが有効ライン上に表示され前記ボーナスが入賞したと前記入賞判定手段に判定された場合に作動し、
前記指示機能状態制御手段は、
前記複数の指示機能状態のうち特定指示機能状態を開始してから特定期間が経過した場合に、前記特定期間が経過したことに基づく指示機能に係る処理である特定指示機能処理を実行し、
前記第１ボーナス及び前記第２ボーナスのいずれかの作動に係る契機が成立した場合に、前記特定期間に係る設定を行う処理である期間設定処理を実行する、ことを特徴とする。
【０００８】
（２）また、本発明は、外周面に複数種類の図柄が配列されている複数のリール（Ｒ１，Ｒ２，Ｒ３）と、
遊技者による開始操作を検出するスタートスイッチ（２３０）と、
小役、リプレイ及びボーナスを含む複数種類の役の当否を決定する内部抽選を行う内部抽選手段（１２０）と、
前記内部抽選手段による前記内部抽選における役の当選確率を変更可能な値である設定値を変更可能な設定変更手段（１００）と、
前記設定値を記憶する設定値記憶手段（１９１）と、
前記複数のリールに対応して設けられ、各リールを停止させるための停止操作を検出するストップスイッチ（２４０）と、
前記スタートスイッチによる前記開始操作の検出に基づいて、前記複数のリールを回転させ、前記ストップスイッチによる前記停止操作の検出及び前記内部抽選手段により決定された前記内部抽選の結果に基づいて、回転中の前記リールを停止させるリール停止制御を行うリール制御手段（１３０）と、
前記複数のリールが停止した状態で、役ごとに予め定められた入賞形態を示す図柄組合せが有効ライン（Ｌ１，Ｌ２，Ｌ３）上に表示されたことに基づいて、役が入賞したと判定する入賞判定手段（１４０）と、
複数の遊技状態の間での遊技状態の移行に係る制御を実行する遊技状態移行制御手段（１７０）と、
特定役の入賞を補助する入賞補助制御を実行可能な状態であるアシストタイム状態を含む複数の指示機能状態の間での指示機能状態の移行に係る制御を含む指示機能に係る制御を実行可能である指示機能状態制御手段（２００Ｂ）と、を備え、
前記ボーナスは、
前記設定値記憶手段に記憶される前記設定値によらず前記内部抽選における当選確率が同一の第１ボーナスと、
前記設定値記憶手段に記憶される前記設定値によって前記内部抽選における当選確率が変更される第２ボーナスと、を含み、
前記リール制御手段による前記リール停止制御によって入賞形態を示す図柄組合せが有効ライン上に表示され前記ボーナスが入賞したと前記入賞判定手段に判定された場合に作動し、
前記指示機能状態制御手段は、
前記複数の指示機能状態のうち特定指示機能状態を開始してから特定期間が経過した場合に、前記特定期間が経過したことに基づく指示機能に係る処理である特定指示機能処理を実行し、
前記第１ボーナス及び前記第２ボーナスを含む前記ボーナスが作動している状態で前記ボーナスを終了させる契機が成立した場合に、前記特定期間に係る設定を行う処理である期間設定処理を実行する、ことを特徴とする。
【発明の効果】
【０００９】
本発明によれば、いずれの設定値においても商品性を維持することができる遊技機を提供することができる。
【図面の簡単な説明】
【００１０】
【図１】本発明の第１の実施形態の遊技機の外観構成を示す斜視図である。
【図２】本発明の第１の実施形態の遊技機の機能ブロックを説明する図である。
【図３】本発明の第１の実施形態の遊技機の非ＲＴ状態〜ＲＴ４状態における内部抽選テーブルを示す図である。
【図４】本発明の第１の実施形態の遊技機のボーナス成立状態、ＲＢＢ作動状態及びＣＢＢ作動状態における内部抽選テーブルを示す図である。
【図５】本発明の第１の実施形態の遊技機の非ボーナス状態及びボーナス成立状態において当選可能なリプレイの当選態様を説明する図である。
【図６】本発明の第１の実施形態の遊技機における遊技状態の状態遷移図である。
【図７】本発明の第１の実施形態の遊技機における有利期間制御手段が制御する非有利期間及び有利期間と、指示機能状態制御手段が制御する指示機能状態と、に係る遷移図である。
【図８】（Ａ）は、本発明の第１の実施形態の遊技機における期間設定処理を説明するタイムチャート、（Ｂ）は、ボーナス作動時の共通処理を示すフローチャートである。
【図９】（Ａ）は、本発明の第２の実施形態の遊技機における期間設定処理を説明するタイムチャート、（Ｂ）は、ボーナス終了時の共通処理を示すフローチャートである。
【図１０】本発明の第３の実施形態の遊技機における期間設定処理を説明するタイムチャートである。
【図１１】本発明の第４の実施形態の遊技機の機能ブロックを説明する図である。
【図１２】本発明の第４の実施形態の遊技機における期間設定処理を説明するタイムチャートである。
【発明を実施するための形態】
【００１１】
［第１の実施形態］
以下、第１の実施形態について説明する。なお、以下に説明する第１の実施形態は、特許請求の範囲に記載された本発明の内容を不当に限定するものではない。また、第１の実施形態で説明される構成のすべてが、本発明の必須構成要件であるとは限らない。
【００１２】
１．構成
図１は、本発明の実施形態に係るスロットマシン１の外観構成を示す斜視図である。第１の実施形態のスロットマシン１は、いわゆる回胴式遊技機と呼ばれるもので、メダルを遊技媒体として用いた遊技を行う種類の遊技機である。
【００１３】
第１の実施形態のスロットマシン１は、収納箱ＢＸ、前面上扉ＵＤ及び前面下扉ＤＤからなる箱形の筐体内に複数のリールとしての第１リールＲ１〜第３リールＲ３からなるリールユニットが収められている。また、筐体内のリールユニットの下部には、メダルの払出装置としてのホッパーユニット３２０（図２参照）が収められている。また、第１の実施形態のスロットマシン１の筐体内には、ＣＰＵ、ＲＯＭ（情報記憶媒体の一例）、ＲＡＭ等を搭載し、スロットマシン１の動作を制御する制御基板も収められている。
【００１４】
図１に示す第１リールＲ１〜第３リールＲ３は、それぞれ外周面が一定の間隔で２０の領域（以下、各領域を「コマ」と記載する）に区画されており、各コマに複数種類の図柄のいずれかが配列されている。また、第１リールＲ１〜第３リールＲ３は、リール駆動手段としてのステッピングモータ（図示省略）に軸支されており、それぞれステッピングモータの軸周りに回転駆動され、ステッピングモータの駆動パルスのパルス数やパルス幅などを制御することによって、コマ単位（所定の回転角度単位、所定の回転量単位）で停止可能に設けられている。すなわち、第１の実施形態のスロットマシン１では、ステッピングモータが制御基板から供給された駆動パルスに応じて第１リールＲ１〜第３リールＲ３を回転駆動し、制御基板から駆動パルスの供給が断たれると、ステッピングモータの回転が停止することに伴って第１リールＲ１〜第３リールＲ３が停止する。
【００１５】
前面上扉ＵＤと前面下扉ＤＤとは、個別に開閉可能に設けられている。前面上扉ＵＤには、第１リールＲ１〜第３リールＲ３の回転状態及び停止状態を観察可能にする表示窓ＤＷが設けられている。第１リールＲ１〜第３リールＲ３の停止状態では、第１リールＲ１〜第３リールＲ３それぞれの外周面に一定間隔で配列された複数種類の図柄のうち、外周面上に連続して配列されている３つの図柄（上段図柄、中段図柄、下段図柄）をスロットマシン１の正面から表示窓ＤＷを通じて観察できるようになっている。
【００１６】
また、第１の実施形態のスロットマシン１では、表示窓ＤＷを通じて図柄を観察するための表示位置として、各リールについて上段、中段、下段が設けられており、各リールの表示位置の組合せによって有効ラインが設定されている。なお、第１の実施形態のスロットマシン１では、１回の遊技に関して必要となるメダルの数、いわゆる規定投入数が、いずれの遊技状態においても３枚に設定され、規定投入数に相当するメダルが投入されると第１リールＲ１〜第３リールＲ３の中段によって構成される有効ラインＬ１と、第１リールＲ１の上段、第２リールＲ２の中段及び第３リールＲ３の下段によって構成される有効ラインＬ２と、第１リールＲ１の下段、第２リールＲ２の中段及び第３リールＲ３の上段によって構成される有効ラインＬ３と、が有効化される。
【００１７】
そして、遊技結果は、表示窓ＤＷ内の有効ラインＬ１〜有効ラインＬ３上に停止表示された図柄組合せによって判定され、有効ラインＬ１〜有効ラインＬ３上の図柄組合せが予め定められた役に対応した図柄組合せである場合に、その役が入賞したものとしてホッパーユニット３２０からメダルの払い出し等が行われる。
【００１８】
前面上扉ＵＤには、遊技情報表示部ＤＳが設けられている。遊技情報表示部ＤＳは、ＬＥＤ、ランプ、７セグメント表示器等からなり、メダルのクレジット数、１回の遊技におけるメダルの払出数あるいは獲得数、ボーナス状態でのメダルの払出数の合計あるいは獲得数の合計、今回の遊技で当選した役の情報、メダルの払い出しに関係するストップボタンＢ１〜ストップボタンＢ３の押し方を示唆する情報の表示等の各種遊技情報が表示される。
【００１９】
遊技情報表示部ＤＳには、７セグメント表示器から構成される主制御表示装置５００が含まれており、規定投入数のメダルが投入されスタートレバーＳＬが操作された際に、今回の遊技で当選した役の情報である当選情報に基づき作成される制御信号である当選コマンドに対応する表示である報知表示が表示され、報知表示の表示後第１リールＲ１〜第３リールＲ３が停止した際に、報知表示が終了するとともにメダルの払出数あるいは獲得数が表示される。第１の実施形態のスロットマシン１では、当選コマンドに応じた表示態様で主制御表示装置５００の各セグメントが点灯及び消灯することで、内部抽選で当選した役がどの役であるか遊技者が推測できるような報知表示が実行される。
【００２０】
また、主制御表示装置５００には、７セグメント表示器のドットであり、後述する有利期間制御手段２００Ａによって有利期間が開始されている場合に点灯し、有利期間が開始されていない、つまり非有利期間が開始されている場合に消灯することで有利期間が開始されているか否かを報知する有利期間報知部５００Ａが設けられている。
【００２１】
また、前面上扉ＵＤには、演出を行うための表示装置３３０が設けられている。表示装置３３０は、例えば液晶ディスプレイから構成され、遊技を補助したり、遊技を盛り上げたりするための各種の映像や画像が表示される。また、第１の実施形態のスロットマシン１では、前面上扉ＵＤや前面下扉ＤＤに対して、演出を行うためのスピーカ（図示省略）が複数設けられている。スピーカからは、遊技を補助したり、遊技を盛り上げたりするための各種の音声が出力される。
【００２２】
前面下扉ＤＤには、各種の操作手段が設けられている。操作手段としては、クレジット（貯留）されたメダルを投入する操作を行うための投入操作手段として、１枚のメダルを投入するシングルベットボタンＢＴ及び規定投入数のメダルを投入するマックスベットボタンＭＢ、第１リールＲ１〜第３リールＲ３を回転させて遊技を開始する契機となる開始操作を遊技者に実行させるための遊技開始操作手段としてのスタートレバーＳＬ、ステッピングモータにより回転駆動されている第１リールＲ１〜第３リールＲ３のそれぞれを停止させる契機となる停止操作を遊技者に実行させるための停止操作手段としてのストップボタンＢ１〜ストップボタンＢ３及びクレジットされたメダルを精算するための精算ボタンＢＳも設けられている。
【００２３】
第１の実施形態のスロットマシン１では、遊技者がメダルをメダル投入口ＭＩに投入するか、メダルが規定投入数以上にクレジットされている場合に、規定投入数と同じ回数シングルベットボタンＢＴを押下するシングルベット操作又はマックスベットボタンＭＢを押下するマックスベット操作を行うことで、規定投入数のメダルが投入状態に設定され、第１リールＲ１〜第３リールＲ３の回転制御を開始することが可能な準備状態にセットされる。そして、遊技者がスタートレバーＳＬに対して開始操作を実行すると、制御基板において第１リールＲ１〜第３リールＲ３をステッピングモータの駆動により回転開始させるとともに、乱数を用いた内部抽選が行われ、第１リールＲ１〜第３リールＲ３の回転速度が所定の速度まで上昇し定常回転になったことを条件に、ストップボタンＢ１〜ストップボタンＢ３の押下操作が許可、すなわちストップボタンＢ１〜ストップボタンＢ３による停止操作が有効化される。
【００２４】
その後、遊技者が任意のタイミングでストップボタンＢ１〜ストップボタンＢ３を押下（以下、「押下タイミング」と記載）していくと、ストップボタンＢ１〜ストップボタンＢ３のそれぞれに内蔵されている停止信号出力手段としてのストップスイッチ２４０がＯＮ動作を行い、制御基板へ出力するリール停止信号をＯＦＦ状態からＯＮ状態へ変化させる。ここで、ストップスイッチは、例えば、フォトセンサ、導通センサ、圧力センサ等から構成される。
【００２５】
また、遊技者が任意のタイミングで押下状態にあるストップボタンＢ１〜ストップボタンＢ３を解放すると、ストップボタンＢ１〜ストップボタンＢ３それぞれに対応するストップスイッチがＯＦＦ動作を行い、制御基板へ出力するリール停止信号をＯＮ状態からＯＦＦ状態に変化させる。そして、制御基板は、ストップボタンＢ１〜ストップボタンＢ３の押下タイミング及び解放タイミングに応じて信号状態が変化するリール停止信号のＯＦＦ状態からＯＮ状態への変化に基づいて、内部抽選の結果に応じた停止位置で第１リールＲ１〜第３リールＲ３を停止させる。
【００２６】
また、前面下扉ＤＤの下部には、メダル払出口ＭＯとメダル受け皿ＭＰとが設けられており、遊技の結果に応じた枚数のメダルがメダル払出口ＭＯからメダル受け皿ＭＰへ払い出されるようになっている。また、遊技機内にクレジットされたメダルが記憶されている状態で、精算ボタンＢＳが押下された場合、精算ボタンＢＳの押下に伴ってホッパーユニット３２０からクレジット数（クレジットされたメダルの枚数）に相当する枚数のメダルを払い出す精算処理を実行し、メダル払出口ＭＯからメダル受け皿ＭＰへメダルを払い出す。
【００２７】
図２は、第１の実施形態のスロットマシン１の機能ブロック図である。第１の実施形態のスロットマシン１は、制御基板としての遊技制御手段１０によって制御される。遊技制御手段１０は、複数の操作検出手段としてのメダル投入スイッチ２１０、ベットスイッチ２２０、スタートスイッチ２３０、ストップスイッチ２４０、設定変更スイッチ２５０及びリセットスイッチ２６０の入力手段からの入力信号を受けて、遊技を実行するための各種の演算を行い、演算結果に基づいてリールユニット３１０、ホッパーユニット３２０、表示装置３３０、音響装置３４０及び主制御表示装置５００等の出力手段の動作を制御する。遊技制御手段１０の機能は各種のプロセッサ（ＣＰＵ、ＤＳＰなど）、ＡＳＩＣ（ゲートアレイなど）、ＲＯＭ（情報記憶媒体の一例）、あるいはＲＡＭなどのハードウェアや、ＲＯＭなどに予め記憶されている所定のプログラムからなるソフトウェアにより実現される。
【００２８】
また、遊技制御手段１０は、設定変更手段１００、投入受付手段１０５、乱数生成手段１１０、内部抽選手段１２０、リール制御手段１３０、入賞判定手段１４０、払出制御手段１５０、リプレイ処理手段１６０、遊技状態移行制御手段１７０、演出制御手段１８０、記憶手段１９０、有利期間制御手段２００Ａ及び指示機能状態制御手段２００Ｂを含む。遊技制御手段１０を構成する各手段は、各制御処理の実行時に、記憶手段１９０に予め記憶されている各制御プログラムを読み出して実行する。
【００２９】
設定変更手段１００は、記憶手段１９０の設定値記憶手段１９１に記憶されている設定値を変更する制御を行う。第１の実施形態のスロットマシン１では、収納箱ＢＸ内に収められた電源装置に設けられている設定変更スイッチ２５０を構成するキーシリンダに、設定キーが挿入されて時計回り（又は反時計回り）に設定キーが回された状態で、電源装置のスイッチが作動し電源装置に電力が供給されたことを設定の変更を許可する条件（設定変更許可条件）としている。設定変更手段１００は、設定変更許可条件が成立している場合に、スロットマシン１を設定の変更を許可する状態（設定変更許可状態）に制御する。
【００３０】
設定変更許可状態において、設定変更手段１００は、電源装置に設けられているリセットスイッチ２６０からの入力信号を受け付けるごとに、設定値記憶手段１９１に記憶されている設定値を設定１→設定２・・・設定６→設定１→・・・の順序で循環的に変動させる。また、スロットマシン１では、設定変更許可状態におけるスタートスイッチ２３０の作動が設定を確定させる条件とされており、スタートレバーＳＬの操作により作動するスタートスイッチ２３０からのスタート信号に基づいて設定値記憶手段１９１に記憶されている設定値を確定させて設定変更許可状態を終了する。第１の実施形態のスロットマシン１では、設定値記憶手段１９１において確定された設定値に応じて、内部抽選手段１２０による内部抽選で当選可能な当選エリアのうち一部の当選エリアの当選確率が変更される。つまり、設定変更手段１００は、内部抽選手段１２０による内部抽選における役の当選確率を変更可能な値である設定値を変更可能に構成されている。
【００３１】
投入受付手段１０５は、メダルの投入を受け付ける投入受付期間において、規定投入数（３枚）に相当するメダルが投入されたことに基づいて、スタートレバーＳＬに対する遊技開始操作を有効化する処理を行う。具体的には、メダル投入口ＭＩにメダルが投入されると、メダル投入スイッチ２１０が作動することに伴って、投入受付手段１０５が、規定投入数を限度として、投入されたメダルを投入状態に設定する。また、投入受付手段１０５は、メダルがクレジットされた状態でシングルベットボタンＢＴ又はマックスベットボタンＭＢが押下されるベット操作が実行されると、ベットスイッチ２２０が作動することに伴って、規定投入数を限度として、クレジットされたメダルを投入状態に設定する。
【００３２】
なお、第１の実施形態のスロットマシン１では、規定投入数に相当するメダルの投入に基づいて有効化されたスタートレバーＳＬの最初の押下操作が、遊技者による遊技の開始操作として受け付けられ、第１リールＲ１〜第３リールＲ３の回転を開始させる契機となっているとともに、後述する内部抽選手段１２０が内部抽選を実行する契機となっている。
【００３３】
乱数生成手段１１０は、抽選用の乱数を発生させる手段である。乱数は、例えば、インクリメントカウンタ（所定のカウント範囲を循環するように数値をカウントするカウンタ）のカウント値に基づいて発生させることができる。なお、第１の実施形態において、「乱数」には、数学的な意味でランダムに発生する値のみならず、発生自体は規則的であっても、取得タイミング等が不規則であるために実質的に乱数として機能し得る値も含まれる。
【００３４】
内部抽選手段１２０は、遊技者がスタートレバーＳＬに対して開始操作を実行し、スタートスイッチ２３０が開始操作を検出することで出力されるスタート信号に基づいて、役の当否を決定する内部抽選を行う手段であって、抽選テーブル選択処理、乱数判定処理、抽選フラグ設定処理等を行う。
【００３５】
抽選テーブル選択処理では、記憶手段１９０の内部抽選テーブル記憶手段１９２に格納されている複数の内部抽選テーブルのうち、いずれの内部抽選テーブルを用いて内部抽選を行うかを現在の遊技状態に基づき選択する。各内部抽選テーブルでは、複数の乱数（例えば、０〜６５５３５の６５５３６個の乱数）のそれぞれに対して、リプレイ、小役及びボーナスなどの各種の役やハズレ（不当選）が対応付けられている。
【００３６】
なお、以下の記載において、ボーナスとは、入賞することで役物又は役物連続作動装置を作動させる役を意味し、ボーナスが作動とは、ボーナスが入賞し役物又は役物連続作動装置を作動することを意味し、ボーナス状態とは、役物又は役物連続作動装置が作動した状態を意味する。
【００３７】
図３、図４は、各遊技状態で選択される内部抽選テーブルである内部抽選テーブルＡ〜内部抽選テーブルＦを示す図である。図３、図４に示すように、ボーナスに当選していない又はボーナスが作動していない遊技状態である非ボーナス状態と、ボーナスに当選している遊技状態であるボーナス成立状態と、である場合に選択される内部抽選テーブルＡ〜内部抽選テーブルＤは、小役を含む当選エリアの当選確率が同一に設定されており、小役のみを含む当選エリアとして、当選エリア「１枚役１」〜当選エリア「１枚役４」と、当選エリア「ベル」と、当選エリア「レア役」と、にそれぞれ乱数が対応付けられている。
【００３８】
第１の実施形態のスロットマシン１では、非ボーナス状態及びボーナス成立状態において入賞可能な小役（以下、「入賞役」と記載）として、１枚役１〜１枚役４、ベル及びレア役が用意されている。
【００３９】
当選エリア「１枚役１」は、１枚役１に当選する当選エリアであり、当選エリア「１枚役２」は、１枚役２に当選する当選エリアであり、当選エリア「１枚役３」は、１枚役３に当選する当選エリアであり、当選エリア「１枚役４」は、１枚役４に当選する当選エリアであり、ストップボタンＢ１〜ストップボタンＢ３の押下タイミングが適切な場合に当選している１枚役１〜１枚役４を入賞可能に構成されており、ストップボタンＢ１〜ストップボタンＢ３の押下タイミングが当選している１枚役１〜１枚役４を入賞させることができない押下タイミングであった場合には、小役、リプレイ及びボーナスの入賞図柄組合せとは異なる特定の図柄組合せ（取りこぼし目）が有効ラインＬ１〜有効ラインＬ３のいずれかの上に表示される。
【００４０】
当選エリア「ベル」は、ベルに当選する当選エリアであり、ストップボタンＢ１〜ストップボタンＢ３を押下操作する順序及び押下タイミングによらずベルが入賞可能に構成されている。当選エリア「レア役」は、レア役に当選する当選エリアであり、ストップボタンＢ１〜ストップボタンＢ３の押下タイミングが適切な場合にレア役を入賞可能に構成されており、ストップボタンＢ１〜ストップボタンＢ３の押下タイミングがレア役を入賞させることができない押下タイミングであった場合には、いずれの役も入賞しない取りこぼし（非入賞）となる。また、当選エリア「レア役」は、他の小役を含む当選エリアよりも当選する確率が低くなるように構成されている。
【００４１】
ベルの配当は、規定投入数よりも多い枚数の払出数（例えば５枚）に設定されている。レア役の配当は、規定投入数と同数の払出数（例えば２枚）に設定されている。１枚役１〜１枚役４の配当は、規定投入数よりも少ない枚数の払出数（例えば１枚）に設定されている。なお、第１の実施形態のスロットマシン１においては、ベルが入賞する場合、有効ラインＬ１〜有効ラインＬ３のいずれの上にもベルの入賞形態を示す図柄組合せ（以下、「入賞図柄組合せ」とも記載）が表示される。第１の実施形態のスロットマシン１では、規定投入数が３枚である場合、当該規定投入数における最大払出数が１０枚に設定されており、有効ラインＬ１〜有効ラインＬ３のいずれの上にも配当が５枚に設定されたベルが入賞した際に、１０枚の払い出しがなされるように構成されている。
【００４２】
また、後述する、リール制御手段１３０は、小役を含む当選エリアに内部抽選手段１２０による内部抽選で当選した場合に、ストップボタンＢ１〜ストップボタンＢ３が押下操作されストップスイッチ２４０が検出した打順がいずれの打順であった場合にも、いずれも配当が同一の小役を表示可能となるようにリール停止制御を実行するように構成されている。つまり、第１の実施形態のスロットマシン１は、小役を含む当選エリアに当選した際に、打順によって配当が異なる小役を入賞可能となることがないように構成されており、後述する指示機能状態制御手段２００Ｂによる入賞補助制御、つまり指示によって得られる払出数が異なる小役を含む当選エリアを有しない構成となっている。
【００４３】
また、非ボーナス状態において選択される内部抽選テーブルＡ〜内部抽選テーブルＣでは、第１の実施形態においてボーナスとして用意されている第１種特別役物に係る役物連続作動装置としてのレギュラービッグボーナス（以下、レギュラービッグボーナスを「ＲＢＢ」とも記載）と、第２種特別役物に係る役物連続作動装置としてのチャレンジビッグボーナス（以下、チャレンジビッグボーナスを「ＣＢＢ」とも記載）と、のうち、ＲＢＢのみに当選する当選エリアである当選エリア「ＲＢＢ」と、ＣＢＢのみに当選する当選エリアである当選エリア「ＣＢＢ」と、が抽選対象として設定されている。一方、ＲＢＢ，ＣＢＢに当選した場合に移行する遊技状態であるボーナス成立状態において選択される内部抽選テーブルＤでは、内部抽選テーブルＡ〜内部抽選テーブルＣにおいて当選エリア「ＲＢＢ」と当選エリア「ＣＢＢ」とに対応付けられていた乱数がハズレ（不当選）に対応付けられている。そして、遊技状態がボーナスが作動しているボーナス状態のうちＲＢＢが作動した状態であるＲＢＢ作動状態である場合に選択される内部抽選テーブルＥは、小役を含む当選エリアとして、非ボーナス状態で当選可能な小役のすべてを含む当選エリア「ＪＡＣ」に乱数が対応付けられ、遊技状態がボーナス状態のうちＣＢＢが作動した状態であるＣＢＢ作動状態である場合に選択される内部抽選テーブルＦは、ハズレ（不当選）に乱数が対応付けられている。
【００４４】
第１の実施形態のスロットマシン１は、当選エリア「ＪＡＣ」に当選した場合、リール制御手段１３０によるリール停止制御において、入賞時の払出数が最も多いベルが他の役に優先して入賞するように第１リールＲ１〜第３リールＲ３を制御する。これにより、当選エリア「ＪＡＣ」に当選した場合には、ストップボタンＢ１〜ストップボタンＢ３の押下操作の順序及び押下タイミングによらずベルが入賞する。
【００４５】
次に、リプレイを含む当選エリアについて説明する。図３、図４に示すように、第１の実施形態のスロットマシン１では、リプレイのみを含む当選エリアとして、当選エリア「通常リプレイ」と、当選エリア「打順リプレイ１」〜当選エリア「打順リプレイ６」と、当選エリア「レアリプレイ」と、が設定されている。
【００４６】
ここで、「打順」とは、ストップボタンＢ１〜ストップボタンＢ３に対して押下操作を実行する順番を意味し、打順１〜打順６の６通りの打順から構成されている。第１の実施形態のスロットマシン１では、ストップボタンＢ１を押下することが第１リールＲ１を停止させるための操作に対応し、ストップボタンＢ２を押下することが第２リールＲ２を停止させるための操作に対応し、ストップボタンＢ３を押下することが第３リールＲ３を停止させるための操作に対応する。このため、第１の実施形態のスロットマシン１では、ストップボタンＢ１〜ストップボタンＢ３の押下順序が変化すると、第１リールＲ１〜第３リールＲ３の停止順序が変化する。
【００４７】
打順１は、ストップボタンＢ１→ストップボタンＢ２→ストップボタンＢ３の順に停止操作が実行される、いわゆる順押しと称される打順である。また、打順２は、ストップボタンＢ１→ストップボタンＢ３→ストップボタンＢ２の順に停止操作が実行される、いわゆるハサミ打ちと称される打順である。また、打順３は、ストップボタンＢ２→ストップボタンＢ１→ストップボタンＢ３の順に停止操作が実行される打順である。また、打順４は、ストップボタンＢ２→ストップボタンＢ３→ストップボタンＢ１の順に停止操作が実行される打順である。また、打順５は、ストップボタンＢ３→ストップボタンＢ１→ストップボタンＢ２の順に停止操作が実行される打順である。また、打順６は、ストップボタンＢ３→ストップボタンＢ２→ストップボタンＢ１の順に停止操作が実行される、いわゆる逆押しと称される打順である。
【００４８】
なお、以下の記載において、リール制御手段１３０によって第１リールＲ１〜第３リールＲ３の回転が開始され、遊技者が最初に有効なストップボタンＢ１〜ストップボタンＢ３のいずれかを押下操作することを第１停止操作とも記載し、第１リールＲ１〜第３リールＲ３のうち、第１停止操作で押下操作されたストップボタンに対応した１つのリールの回転が停止した状態で遊技者が有効なストップボタンＢ１〜ストップボタンＢ３のいずれかを押下操作することを第２停止操作とも記載し、第１リールＲ１〜第３リールＲ３のうち第１停止操作で押下操作されたストップボタンに対応したリールと第２停止操作で押下操作されたストップボタンに対応したリールとの２つのリールの回転が停止した状態で遊技者が有効なストップボタンＢ１〜ストップボタンＢ３のいずれかを押下操作することを第３停止操作とも記載する。
【００４９】
図５は、リプレイを含む当選エリアの詳細について示す図である。図３〜図５に示すように、当選エリア「通常リプレイ」は、内部抽選テーブルＡ〜内部抽選テーブルＤのそれぞれにおいて設定されている当選エリアであり、通常リプレイに当選し、打順及び押下タイミングによらず通常リプレイを入賞可能に構成されている。当選エリア「レアリプレイ」は、内部抽選テーブルＡ〜内部抽選テーブルＤのそれぞれにおいて設定されている当選エリアであり、レアリプレイに当選し、打順及び押下タイミングによらずレアリプレイを入賞可能に構成されている。また、当選エリア「レアリプレイ」は、各内部抽選テーブルにおいて当選可能なリプレイを含む当選エリアのいずれの当選エリアよりも当選確率が低くなるように設定されている。
【００５０】
当選エリア「打順リプレイ１」〜当選エリア「打順リプレイ６」は、それぞれ第１の実施形態のスロットマシン１に設定された遊技状態であるリプレイタイム１状態（ＲＴ１状態、以下、リプレイタイムを「ＲＴ」とも記載）からＲＴ２状態、ＲＴ３状態への遊技状態の移行に係る図柄組合せであるＲＴ２移行リプレイ及びＲＴ３移行リプレイに重複して当選する当選エリアであり、図５に示す打順でストップボタンＢ１〜ストップボタンＢ３が押下操作された場合に、打順に対応する役（ＲＴ２移行リプレイ又はＲＴ３移行リプレイ）が入賞する。
【００５１】
当選エリア「打順リプレイ１」〜当選エリア「打順リプレイ６」は、それぞれ重複当選する役が異なる当選態様となるように、入賞図柄組合せが他のリプレイとは異なる特殊リプレイ１〜特殊リプレイ５といったリプレイと図５に示す組合せで重複当選又は特殊リプレイ１〜特殊リプレイ５を含まないように構成されている。なお、後述するリール制御手段１３０は、内部抽選手段１２０による内部抽選で特殊リプレイ１〜特殊リプレイ５を含む当選エリアに当選した場合に、ストップボタンＢ１〜ストップボタンＢ３がいずれの打順及び押下タイミングで押下操作された場合にも、特殊リプレイ１〜特殊リプレイ５の入賞図柄組合せが表示されないようにリール停止制御を実行するように構成されている。
【００５２】
第１の実施形態のスロットマシン１では、設定値記憶手段１９１に記憶されている設定値に応じて、当選エリア「ＣＢＢ」の当選確率が変更されるように構成されており、設定値記憶手段１９１に記憶されている設定値が高くなれば高くなる程、当選エリア「ＣＢＢ」の当選確率が高くなるように構成されている。また、第１の実施形態のスロットマシン１では、当選エリア「ＲＢＢ」と、当選エリア「１枚役１」〜当選エリア「１枚役４」と、当選エリア「ベル」と、当選エリア「レア役」と、当選エリア「打順リプレイ１」〜当選エリア「打順リプレイ６」と、当選エリア「通常リプレイ」と、当選エリア「レアリプレイ」と、は設定値記憶手段１９１に記憶されている設定値がいずれの値であっても当選確率に変化が生じないように構成されている。
【００５３】
乱数判定処理では、スタートスイッチ２３０から出力されるスタート信号に基づいて、遊技ごとに乱数生成手段１１０が生成する乱数（抽選用乱数）を取得し、取得した乱数を抽選テーブル選択処理で選択した内部抽選テーブルと比較して、比較結果に基づき役に当選したか否かを判定する。
【００５４】
抽選フラグ設定処理では、乱数判定処理の結果に基づいて、当選したと判定された役に対応する抽選フラグを非成立状態（第１のフラグ状態、ＯＦＦ状態）から成立状態（第２のフラグ状態、ＯＮ状態）に設定する。第１の実施形態のスロットマシン１では、２種類以上の役が重複して当選した場合には、重複して当選した２種類以上の役のそれぞれに対応する抽選フラグが成立状態に設定される。なお、第１の実施形態のスロットマシン１では、入賞の如何に関わらず次回以降の遊技に成立状態を持ち越さずに非成立状態にリセットされる抽選フラグ（持越不可フラグ）が用意されている。また、抽選フラグの設定情報は、記憶手段１９０の抽選フラグ記憶手段１９３に格納される。
【００５５】
ここで、第１の実施形態のスロットマシン１では、入賞するまで次回以降の遊技に成立状態を持ち越し可能な抽選フラグ（持越可能フラグ）と、入賞の如何に関わらず次回以降の遊技に当選状態を持ち越さずに非成立状態にリセットされる抽選フラグ（持越不可フラグ）とが用意されている。前者の持越可能フラグが対応付けられる役としては、ＲＢＢ，ＣＢＢがあり、小役及びリプレイは、後者の持越不可フラグに対応付けられている。すなわち、抽選フラグ設定処理では、内部抽選でＲＢＢ，ＣＢＢのいずれかを含む当選エリアに当選すると、当選したＲＢＢ又はＣＢＢの抽選フラグの成立状態を、ＲＢＢ又はＣＢＢが入賞するまで持ち越す処理を行う。このとき、内部抽選手段１２０は、ＲＢＢ，ＣＢＢの抽選フラグの成立状態が持ち越されている遊技でも、小役及びリプレイについての当否を決定する内部抽選を行っている。すなわち、抽選フラグ設定処理では、ＲＢＢ，ＣＢＢの抽選フラグの成立状態が持ち越されている遊技において、小役やリプレイが当選した場合には、既に当選しているＲＢＢ又はＣＢＢの抽選フラグと内部抽選で当選した小役やリプレイの抽選フラグとからなる２種類以上の役に対応する抽選フラグを成立状態に設定する。
【００５６】
なお、第１の実施形態の内部抽選手段１２０は、ＣＢＢが作動した場合、内部抽選の結果によらずすべての小役の抽選フラグを成立状態にセットする。つまり、スロットマシン１では、ＣＢＢが作動している遊技において、ベル、１枚役１〜１枚役４及びレア役のすべての小役の抽選フラグが成立状態にセットされる。ここで、スロットマシン１では、ＣＢＢが作動している遊技において、リール制御手段１３０によるリール停止制御によってベルの入賞図柄組合せが有効ラインＬ１上に表示されるように、回転している第１リールＲ１〜第３リールＲ３が停止する。
【００５７】
リール制御手段１３０は、遊技者がスタートレバーＳＬへ開始操作を実行することにより作動するスタートスイッチ２３０から、スタート信号が出力されたことに基づいて、ステッピングモータにより第１リールＲ１〜第３リールＲ３の回転駆動を開始する。また、リール制御手段１３０は、第１リールＲ１〜第３リールＲ３の回転状態が、所定速度（例えば、約８０ｒｐｍ）で定常回転する回転状態となった場合に、各リールに対応するストップボタンＢ１〜ストップボタンＢ３が押下操作されることでストップスイッチ２４０によって検出される停止操作を有効化する制御を実行する。そして、リール制御手段１３０は、停止操作の検出に基づきストップスイッチ２４０からリール停止信号が出力された場合に、リールユニット３１０のステッピングモータへの駆動パルス（モータ駆動信号）の供給を停止することにより、第１リールＲ１〜第３リールＲ３の各リールを停止させる制御を行う。このとき、リール制御手段１３０は、ステッピングモータにより回転駆動されている第１リールＲ１〜第３リールＲ３を抽選フラグの設定状態、すなわち内部抽選の結果に応じた態様で停止させる制御を行う。つまり、リール制御手段１３０は、ストップボタンＢ１〜ストップボタンＢ３の各ボタンが押下されるごとに、第１リールＲ１〜第３リールＲ３のうち押下されたストップボタンに対応するリールの停止位置を決定して、決定された停止位置でリールを停止させる制御を行っている。
【００５８】
また、第１の実施形態のスロットマシン１では、第１リールＲ１〜第３リールＲ３について、ストップボタンＢ１〜ストップボタンＢ３が押下された時点から１９０ｍｓ以内に、押下されたストップボタンに対応する回転中のリールを停止するようになっている。ここで、ストップボタンの押下時点から１９０ｍｓ以内に回転中のリールを停止させる場合、回転している各リールの停止位置は、各リールの直径及び回転速度より、ストップボタンの押下時点からリールが停止するまでに最大で４コマ分回転可能に構成されている。リール制御手段１３０は、ストップボタンＢ１〜ストップボタンＢ３のうち押下操作が行われたストップボタンに対応する回転中のリールの外周面上において、内部抽選で当選した役に対応する図柄が、ストップボタンに対する押下操作が行われた時点で有効ラインＬ１〜有効ラインＬ３のいずれかの上の表示位置に対して０コマ〜４コマの範囲内に位置する場合に、抽選フラグが当選状態に設定されている役に対応する図柄を有効ラインＬ１〜有効ラインＬ３のいずれかの上の表示位置に表示するように、押下操作が行われたストップボタンに対応する回転中のリールを停止させる制御を行っている。
【００５９】
このため、スロットマシン１では、上述したベル、各リプレイのようなストップボタンＢ１〜ストップボタンＢ３の押下タイミングによらず入賞可能な役の入賞図柄組合せを構成する図柄が、第１リールＲ１〜第３リールＲ３のそれぞれにおいて、ストップボタンの押下時点からリールが停止するまでに表示可能な範囲内に配列されている。特に、特殊ベルの入賞図柄組合せのうち、第３リールＲ３に表示可能な図柄については、第３リールＲ３の滑りコマ数が最大１コマとなるＣＢＢ作動時（後述）である場合にもストップボタンＢ３の押下タイミングによらず表示可能となるように配列されている。
【００６０】
ここで、リール制御手段１３０は、スタートスイッチ２３０が開始操作を検出することで出力されるスタート信号を受信し、第１リールＲ１〜第３リールＲ３の回転を開始して１回の遊技を開始した場合に、一般にウェイト（又はウェイト時間）と称される待機時間（約４．１秒）を設定するように構成されている。そして、リール制御手段１３０は、待機時間の設定から待機時間が経過するまでの期間内にスタート信号をスタートスイッチ２３０から受信した場合に、待機時間が経過した後に第１リールＲ１〜第３リールＲ３の回転を開始するように構成されている。この構成により、リール制御手段１３０は、１回の遊技の開始から次の遊技の開始までに一定の時間として最小遊技時間（約４．１秒）を経過してから遊技を開始させることができる。
【００６１】
リール制御手段１３０は、ロジック演算により回転中のリールの停止位置を求めるロジック演算処理と、記憶手段１９０の停止制御テーブル記憶手段１９４に記憶されている停止制御テーブルを参照して回転中のリールの停止位置を決定するテーブル参照処理とを行っている。
【００６２】
まず、ロジック演算処理では、役ごとに定められた優先順位データに従ってストップスイッチ２４０の作動時点、つまりストップボタンの押下操作を検出した時点におけるリールの位置である押下検出位置から０コマ〜４コマの範囲内に存在する５コマ分の停止位置の候補に対して優先度を求める。ここで、リール制御手段１３０は、リールユニット３１０に設けられたフォトセンサが各リールに設けられたリール位置検出部を検出した場合に出力されるリールが１回転したことを示す情報であるリールインデックスと、リールインデックスが検出されるリールの基準位置からの回転角度（ステッピングモータに供給した駆動パルスの供給回数から算出）を用いて、ストップスイッチ２４０からリール停止信号を受信した時点におけるリールの回転状態を取得する。そして、各停止位置の候補の優先度のうち最も優先度の高い停止位置の候補を実際の停止位置として決定する。ただし、ロジック演算処理では、内部抽選の結果や押下検出位置等に応じて複数の停止位置の候補に対して同一の優先度が求まる場合がある。最も優先度の高い停止位置の候補が複数となった場合には、テーブル参照処理によって実際の停止位置を決定する。
【００６３】
第１の実施形態のスロットマシン１では、遊技状態が非ボーナス状態、ボーナス成立状態、ＲＢＢ作動状態である場合、「リプレイ＞小役＞ボーナス」の順序で優先順位が定められている。また、スロットマシン１において、ＣＢＢ作動中であるＣＢＢ作動状態である場合には、「小役＞リプレイ＞ボーナス」の順序で優先順位が定められている。つまり、第１の実施形態のスロットマシン１は、ＣＢＢ作動中である場合におけるリール停止制御の実行時において、小役とリプレイ又はボーナスとに重複して当選した場合に、リプレイ及びボーナスに優先して小役の入賞図柄組合せを構成する図柄を有効ラインＬ１上に停止する。
【００６４】
ロジック演算処理では、２種類以上の役に関する抽選フラグが当選状態に設定されている場合、各役に対応付けられた優先順位に従って、優先順位の高い役の入賞形態を構成する図柄を含む停止位置の候補を、優先順位が低い役の入賞形態を構成する図柄を含む停止位置の候補よりも優先度が高くなるように優先度を求める。
【００６５】
なお、第１の実施形態のスロットマシン１において、内部抽選で複数種類の小役が当選した場合における停止位置の候補の優先度の求め方は、有効ラインＬ１〜有効ラインＬ３のいずれかの上に表示可能な図柄組合せの数に応じて優先度を求める方法と、小役に予め定められている配当に基づくメダルの払出数に応じて優先度を求める方法とが存在する。有効ラインＬ１〜有効ラインＬ３のいずれかの上に表示可能な図柄組合せの数に応じて停止位置の候補の優先度を求める場合には、有効ラインＬ１〜有効ラインＬ３のいずれかの上に表示可能な入賞図柄組合せの数が多くなる停止位置ほど優先度が高くなるように各停止位置の候補の優先度を求める。また、メダルの払出数に応じて停止位置の候補の優先度を求める場合には、有効ラインＬ１〜有効ラインＬ３のいずれかの上の表示位置に表示されている図柄に対応する小役の配当に基づくメダルの払出数が多くなる停止位置、すなわち配当が多い小役を入賞させることができる停止位置ほど優先順位が高くなるように各停止位置の候補の優先度を求める。ただし、メダルの払出数に応じて停止位置の候補の優先度を求める場合に、配当が同一の小役が重複して当選した場合には、それぞれの小役を入賞させることができる停止位置の候補の優先度がそれぞれ同一のものとして扱われる。
【００６６】
また、ロジック演算処理では、いわゆる引き込み処理と蹴飛ばし処理とをリールの停止位置の候補を求める処理として行っている。ここで、引き込み処理とは、抽選フラグが当選状態に設定された役を可能な限り入賞させることができるようにリールの停止位置の候補を求める処理である。一方、蹴飛ばし処理とは、抽選フラグが非当選状態に設定された役を入賞させることができないようにリールの停止位置の候補を求める処理である。このように、リール制御手段１３０は、抽選フラグが当選状態に設定された役の図柄を入賞の形態で停止可能にし、一方で抽選フラグが非当選状態に設定された役の図柄を入賞の形態で停止しないようにリールの停止位置の候補を求めるロジック演算処理を行っている。
【００６７】
ここで、第１の実施形態のスロットマシン１においては、ＣＢＢが入賞しＣＢＢが作動した場合、第２種特別役物としてのチャレンジボーナス（以下、チャレンジボーナスを「ＣＢ」と記載）の入賞図柄組合せの表示によらずにＣＢが連続で作動するように構成されている。このため、リール制御手段１３０は、ＣＢＢが入賞しＣＢＢが作動した場合、第１リールＲ１〜第３リールＲ３のうち第３リールＲ３について、ストップボタンＢ３が押下された時点から７５ｍｓ以内に回転中の第３リールＲ３を停止するようにリールの停止制御を実行する。ストップボタンの押下時点から７５ｍｓ以内に回転中のリールを停止させる場合、回転している各リールの停止位置は、各リールの直径及び回転速度より、ストップボタンの押下時点からリールが停止するまでに最大で１コマ分回転可能に構成されている。
【００６８】
なお、リール制御手段１３０は、ＣＢＢ作動中におけるリールの停止制御において、第１リールＲ１〜第３リールＲ３のうち、予め定められた少なくとも１つのリールをストップボタンが押下された時点から７５ｍｓ以内に停止するようにリール停止制御を実行すればよく、第１の実施形態においては、ストップボタンＢ３が押下操作されたことでストップスイッチ２４０から出力されるリール停止信号を検出した時点から７５ｍｓ以内に第３リールＲ３を停止するようにリールの停止制御を実行するが、第１リールＲ１や第２リールＲ２といった他のリールに対応するストップボタンが押下操作されたことをストップスイッチ２４０が検出し、リール停止信号がストップスイッチ２４０から出力された時点から７５ｍｓ以内にリールを停止するようにリールの停止制御を実行するように構成されていてもよく、ストップスイッチ２４０からリール停止信号が出力された時点から７５ｍｓ以内にリールを停止するように設定されるリールの本数は、１本ではなく複数本であってもよい。
【００６９】
入賞判定手段１４０は、第１リールＲ１〜第３リールＲ３の停止態様に基づいて、役が入賞したか否かを判定する入賞判定処理を行う。具体的には、記憶手段１９０の入賞判定テーブル記憶手段１９５に記憶されている入賞判定テーブルを参照しながら、第１リールＲ１〜第３リールＲ３のすべてが停止した時点で有効ラインＬ１〜有効ラインＬ３の上に表示されている図柄組合せが、予め定められた役の入賞の形態であるか否かを判定する。そして、各リールが停止した状態における有効ラインＬ１〜有効ラインＬ３の上に表示された図柄組合せによって、ボーナス、リプレイ、小役の入賞の有無を判定（以下、「入賞判定」と記載）できるように入賞判定テーブルが用意されている。
【００７０】
また、第１の実施形態のスロットマシン１では、入賞判定処理における入賞判定手段１４０の判定結果に基づいて各処理が実行される。入賞役の判定結果に基づき実行される各処理としては、例えば、小役が入賞した場合には払出制御手段１５０にメダルを払い出させる枚数を決定する処理が行われ、リプレイが入賞した場合にはリプレイ処理手段１６０に次回の遊技においてメダルを消費せずに実行させる処理を行わせ、ボーナス等の遊技状態を移行させる契機となる役が入賞した場合には遊技状態移行制御手段１７０に遊技状態を移行させる処理が行われる。
【００７１】
払出制御手段１５０は、遊技結果に応じたメダルの払い出しに関する払出処理を行う。具体的には、小役が入賞した場合に、役ごとに予め定められている配当に基づいて遊技におけるメダルの払出数を決定し、決定された払出数に相当するメダルを、払出装置としてのホッパーユニット３２０に払い出させる制御を行う。第１の実施形態において、上述した通り、規定投入数よりも多い払出数に設定されているベルの配当は、５枚に定められている。また、規定投入数よりも少ない払出数に設定されているレア役の配当は、２枚に定められており、１枚役１〜１枚役４の配当は、いずれも１枚に定められている。
【００７２】
ホッパーユニット３２０は、払出制御手段１５０によって指示された払出数のメダルを払い出す動作を行う。ホッパーユニット３２０には、メダルを１枚払い出すごとに作動する払出メダル検出スイッチ３２５が備えられている。払出制御手段１５０は、払出メダル検出スイッチ３２５からの入力信号に基づいて、ホッパーユニット３２０から実際に払い出されたメダルの数を管理することができるように構成されている。なお、メダルのクレジットが許可されている場合には、ホッパーユニット３２０によって実際にメダルの払い出しを行う代わりに、記憶手段１９０のクレジット記憶領域（図示省略）に記憶されているクレジット数（クレジットされたメダルの数）に対して払出数を加算するクレジット加算処理を行って仮想的にメダルを払い出す処理を行う。
【００７３】
リプレイ処理手段１６０は、入賞判定手段１４０により有効ラインＬ１〜有効ラインＬ３のいずれかの上に複数種類のリプレイ役のうちいずれかのリプレイの入賞を示す図柄組合せが停止表示されたと判定され、リプレイが入賞した場合に、次回の遊技に関してメダルの投入を要さずに遊技を実行可能にする準備状態に設定するリプレイ処理（再遊技処理）を行う。すなわち、第１の実施形態のスロットマシン１では、リプレイが入賞した場合、規定投入数分のメダルを遊技者の手持ちのメダル（クレジットメダルを含む）を使わずに自動的に投入する自動投入処理が行われ、前回の遊技と同じ有効ライン（第１の実施形態においては有効ラインＬ１〜有効ラインＬ３）を設定した状態で、次回のスタートレバーＳＬに対する開始操作を待機する。
【００７４】
遊技状態移行制御手段１７０は、非ＲＴ状態〜ＲＴ４状態の間で移行させる制御処理及びＲＢＢ又はＣＢＢが当選した場合に現在の遊技状態からボーナス成立状態に移行させる制御処理と、ＲＢＢ又はＣＢＢが入賞した場合に現在の遊技状態からＲＢＢ作動状態又はＣＢＢ作動状態に移行させる制御処理と、の遊技状態の移行に係る制御と、ＲＢＢ又はＣＢＢが入賞した場合に、入賞したＲＢＢ又はＣＢＢを作動させ、作動させたＲＢＢ又はＣＢＢの終了条件が成立した場合に作動させていたＲＢＢ又はＣＢＢを終了させるボーナスの作動に係る制御と、を行う。ここで、各遊技状態の移行条件は、１つの条件が定められていてもよいし、複数の条件が定められていてもよい。複数の条件が定められている場合には、複数の予め定められた条件のうちいずれか１つの条件が成立したこと、あるいは複数の予め定められた条件のすべてが成立したことに基づいて、遊技状態を別の遊技状態へ移行させることができる。
【００７５】
図６を参照して、第１の実施形態の遊技状態移行制御手段１７０が実行する遊技状態の移行に係る制御について説明する。図６は、遊技状態移行制御手段１７０が実行する遊技状態の移行に係る制御において、各遊技状態から移行可能な遊技状態を示す状態遷移図である。第１の実施形態のスロットマシン１においては、現在の遊技状態がいずれの遊技状態であるかを管理するために、遊技状態移行制御手段１７０による制御の実行時に参照されるデータを記憶する遊技状態制御データ記憶手段１９８に含まれる記憶手段であり、遊技状態移行制御手段１７０が設定する遊技状態の種別を管理する遊技状態種別記憶手段１９８ｂ（図２参照）に、現在の遊技状態に対応する値が記憶される構成となっている。
【００７６】
図６に示すように、非ＲＴ状態は、複数種類の遊技状態の中で初期状態に相当する遊技状態で、遊技状態種別記憶手段１９８ｂに記憶されている遊技状態種別の値（遊技状態種別値）が遊技状態種別値「０」に設定されており、非ＲＴ状態からはＲＴ１状態への移行が可能となっている。
【００７７】
具体的には、非ＲＴ状態において、当選エリア「１枚役１」〜当選エリア「１枚役４」のいずれかに当選し、かつストップボタンＢ１〜ストップボタンＢ３が１枚役１〜１枚役４を入賞させることができない押下タイミングで押下操作され、リール制御手段１３０によるリール停止制御により小役、リプレイ及びボーナスの入賞図柄組合せとは異なる特定の図柄組合せ（取りこぼし目）が有効ラインＬ１〜有効ラインＬ３のいずれかの上に表示された場合に、ＲＴ１状態に移行する。
【００７８】
非ＲＴ状態では、リプレイの当選確率が例えば約１／１．５に設定されることで、小役、リプレイ又はボーナスのいずれかに当選する確率が極めて高く設定されている内部抽選テーブルＡを参照した内部抽選が行われる。
【００７９】
ＲＴ１状態は、非ＲＴ状態又は後述するＲＴ４状態においてリール制御手段１３０によるリール停止制御により小役、リプレイ及びボーナスの入賞図柄組合せとは異なる特定の図柄組合せ（取りこぼし目）が有効ラインＬ１〜有効ラインＬ３のいずれかの上に表示されたことを契機として移行する遊技状態であり、遊技状態種別記憶手段１９８ｂに記憶されており遊技状態種別値が遊技状態種別値「１」に設定されており、ＲＴ１状態からはＲＴ２状態、ＲＴ３状態への移行が可能となっている。
【００８０】
具体的には、ＲＴ１状態において、当選エリア「打順リプレイ１」〜当選エリア「打順リプレイ６」のいずれかに当選し、かつＲＴ２移行リプレイを入賞可能な打順（図５参照）でストップボタンＢ１〜ストップボタンＢ３が押下操作され、リール制御手段１３０によるリール停止制御によりＲＴ２移行リプレイの入賞図柄組合せが有効ラインＬ１〜有効ラインＬ３のいずれかの上に表示された場合に、ＲＴ２状態に移行し、当選エリア「打順リプレイ１」〜当選エリア「打順リプレイ６」のいずれかに当選し、かつＲＴ３移行リプレイを入賞可能な打順（図５参照）でストップボタンＢ１〜ストップボタンＢ３が押下操作され、リール制御手段１３０によるリール停止制御によりＲＴ３移行リプレイの入賞図柄組合せが有効ラインＬ１〜有効ラインＬ３のいずれかの上に表示された場合に、ＲＴ３状態に移行する。
【００８１】
ＲＴ１状態では、リプレイの当選確率が例えば約１／１．５に設定されることで、小役、リプレイ又はボーナスのいずれかに当選する確率が極めて高く設定されている内部抽選テーブルＢを参照した内部抽選が行われる。
【００８２】
ＲＴ２状態は、ＲＴ１状態においてリール制御手段１３０によるリール停止制御によりＲＴ２移行リプレイの入賞図柄組合せが有効ラインＬ１〜有効ラインＬ３のいずれかの上に表示されたことを契機として移行する遊技状態であり、遊技状態種別記憶手段１９８ｂに記憶されており遊技状態種別値が遊技状態種別値「２」に設定されており、ＲＴ２状態へ移行した場合、遊技状態移行制御手段１７０によって、予め定められた所定の遊技回数に対応する値（第１の実施形態では２１ゲーム）が遊技状態制御データ記憶手段１９８の遊技状態終了判定カウンタ１９８ａにセットされ、１回の遊技が行われるごとに、遊技状態終了判定カウンタ１９８ａの記憶する値（以下、各カウンタの記憶する値を「記憶値」とも記載）から１回分の遊技に相当する一定値（例えば、「１」）を減算するデクリメント更新が行われる。
【００８３】
ＲＴ２状態からは、非ＲＴ状態への移行が可能となっている。具体的には、ＲＴ２状態において、２１ゲームの遊技が実行され遊技状態終了判定カウンタ１９８ａに記憶されている値が０になった場合に非ＲＴ状態に移行する。ＲＴ２状態では、リプレイの当選確率が例えば約１／１．５に設定されている内部抽選テーブルＡを参照した内部抽選が行われる。
【００８４】
ＲＴ３状態は、ＲＴ１状態においてリール制御手段１３０によるリール停止制御によりＲＴ３移行リプレイの入賞図柄組合せが有効ラインＬ１〜有効ラインＬ３のいずれかの上に表示されたことを契機として移行する遊技状態であり、遊技状態種別記憶手段１９８ｂに記憶されており遊技状態種別値が遊技状態種別値「３」に設定されており、ＲＴ３状態へ移行した場合、遊技状態移行制御手段１７０によって、予め定められた所定の遊技回数に対応する値（第１の実施形態では１２８ゲーム）が遊技状態終了判定カウンタ１９８ａにセットされ、１回の遊技が行われるごとに、遊技状態終了判定カウンタ１９８ａの記憶値から１回分の遊技に相当する一定値（例えば、「１」）を減算するデクリメント更新が行われる。
【００８５】
ＲＴ３状態からは、非ＲＴ状態への移行が可能となっている。具体的には、ＲＴ３状態において、１２８ゲームの遊技が実行され遊技状態終了判定カウンタ１９８ａに記憶されている値が０になった場合に非ＲＴ状態に移行する。ＲＴ３状態では、リプレイの当選確率が例えば約１／７．３に設定されている内部抽選テーブルＣを参照した内部抽選が行われる。
【００８６】
ＲＴ４状態は、ボーナス状態が終了したことを契機として移行する遊技状態であり、遊技状態種別記憶手段１９８ｂに記憶されており遊技状態種別値が遊技状態種別値「４」に設定されており、ＲＴ４状態からはＲＴ１状態への移行が可能となっている。
【００８７】
具体的には、ＲＴ４状態において、当選エリア「１枚役１」〜当選エリア「１枚役４」のいずれかに当選し、かつストップボタンＢ１〜ストップボタンＢ３が１枚役１〜１枚役４を入賞させることができない押下タイミングで押下操作され、リール制御手段１３０によるリール停止制御により小役、リプレイ及びボーナスの入賞図柄組合せとは異なる特定の図柄組合せ（取りこぼし目）が有効ラインＬ１〜有効ラインＬ３のいずれかの上に表示された場合に、ＲＴ１状態に移行する。ＲＴ４状態では、リプレイの当選確率が例えば約１／７．３に設定されている内部抽選テーブルＣを参照した内部抽選が行われる。
【００８８】
第１の実施形態のスロットマシン１では、非ＲＴ状態〜ＲＴ４状態の間で遊技状態を遷移させることで、各遊技状態で異なる遊技性を実現している。具体的には、第１の実施形態のスロットマシン１は、通常の遊技が実行されるＲＴ３状態及びＲＴ４状態において、小役、リプレイ、ボーナスのいずれかに当選するか又はいずれの役にも当選しない不当選（ハズレ）となる構成となっている。
【００８９】
また、リプレイに当選する確率が約１／１．５と高確率に設定されている非ＲＴ状態、ＲＴ１状態、ＲＴ２状態においては、リプレイを含む当選エリアに当選する確率が高くなっており、後述する有利期間制御手段２００Ａによって有利期間が開始され、指示機能状態制御手段２００Ｂによって特定役の入賞を補助する入賞補助制御が実行されるアシストタイム状態（以下、アシストタイムを「ＡＴ」とも記載）が開始されることで、ＡＴ状態における遊技が他の遊技状態よりもリプレイに高確率で当選する非ＲＴ状態、ＲＴ１状態、ＲＴ２状態で実行される、いわゆるアシストリプレイタイム遊技（以下、アシストリプレイタイムを「ＡＲＴ」とも記載）を実行することができる構成となっている。
【００９０】
ＡＴ状態が開始された場合、スロットマシン１では、非ＲＴ状態からＲＴ１状態に遊技状態が移行され、ＲＴ２移行リプレイの入賞を補助する入賞補助制御が実行されることでＲＴ１状態からＲＴ２状態に移行され、ＲＴ２状態から非ＲＴ状態に移行されることで、それぞれリプレイに当選する確率が高い非ＲＴ状態、ＲＴ１状態、ＲＴ２状態の間で遊技状態が循環するように構成されている。一方、ＡＴ状態が開始されていない場合、スロットマシン１では、当選エリア「打順リプレイ１」〜当選エリア「打順リプレイ６」の当選時に入賞補助制御が実行されないことで、ＲＴ１状態からＲＴ３状態に移行される確率が高くなり、リプレイの当選確率が低いＲＴ３状態での遊技が実行されやすくなるように構成されている。
【００９１】
次に、遊技状態移行制御手段１７０が実行する遊技状態の移行に係る制御のうちボーナス成立状態への移行に係る処理について説明する。遊技状態移行制御手段１７０は、内部抽選でボーナスを含む当選エリアに当選した場合に、遊技状態を現在の遊技状態からボーナス成立状態へ移行させるボーナス成立状態移行制御処理を実行する。具体的には、遊技状態移行制御手段１７０は、例えば非ＲＴ状態での内部抽選において当選エリア「ＲＢＢ」や当選エリア「ＣＢＢ」等のボーナスを含む当選エリアに当選した場合に、遊技状態を非ＲＴ状態からボーナス成立状態に移行させる。
【００９２】
また、スロットマシン１では、ボーナスを含む当選エリアに当選し、かつ当選したボーナスが入賞しなかった場合、上述したように、当選したボーナスの抽選フラグが成立状態で維持される。スロットマシン１は、ボーナスが入賞するまでの以降の遊技において、ボーナスの抽選フラグが成立状態で持ち越されているボーナス成立状態での遊技が実行される。ボーナス成立状態では、リプレイの当選確率が例えば約１／７．３に設定されている内部抽選テーブルＤを参照した内部抽選が行われる。
【００９３】
第１の実施形態のスロットマシン１では、ボーナス成立状態において、内部抽選で小役、リプレイ又はボーナスのいずれかに当選する確率が極めて高く設定されている非ＲＴ状態、ＲＴ１状態、ＲＴ２状態よりもリプレイの当選確率が低い内部抽選テーブルを用いて内部抽選が実行されるように構成されている。第１の実施形態のスロットマシン１では、ボーナス成立状態における内部抽選で小役又はリプレイに当選した場合に、ボーナスの抽選フラグが成立状態で持ち越されていることから、小役とボーナス又はリプレイとボーナスが重複して当選した状態となる。また、上述した通り、スロットマシン１では、「リプレイ＞小役＞ボーナス」の順序で優先順位が定められている。また、スロットマシン１では、ストップボタンＢ１〜ストップボタンＢ３の押下タイミングが適切である場合に入賞する１枚役１〜１枚役４の当選時において、当選した１枚役１〜１枚役４を入賞できない押下タイミングでストップボタンＢ１〜ストップボタンＢ３が押下操作された場合に、リール制御手段１３０によるリール停止制御により小役、リプレイ及びボーナスの入賞図柄組合せとは異なる特定の図柄組合せが有効ラインＬ１〜有効ラインＬ３のいずれかの上に表示され、レア役の当選時において、レア役を入賞できない押下タイミングでストップボタンＢ１〜ストップボタンＢ３が押下操作された場合に、いずれの役も入賞しない取りこぼし（非入賞）となるように構成されている。
【００９４】
このため、第１の実施形態のスロットマシン１では、ボーナス成立状態のリプレイの当選確率を非ＲＴ状態、ＲＴ１状態、ＲＴ２状態におけるリプレイの当選確率よりも低くなるように設定し、内部抽選でハズレ（不当選）となり得るように構成することで、ボーナスに単独で当選した状態が発生し得るように構成されている。これにより、スロットマシン１では、ボーナス成立状態において、内部抽選でハズレ（不当選）となった際に、抽選フラグが成立状態にセットされ続けているボーナスを入賞させることができるようになる。
【００９５】
次に、遊技状態移行制御手段１７０が実行する遊技状態の移行に係る制御のうちボーナス状態への移行に係る処理と、遊技状態移行制御手段１７０が実行するボーナスの作動に係る制御と、について説明する。遊技状態移行制御手段１７０は、リール制御手段１３０によるリール停止制御によりＲＢＢの入賞図柄組合せが有効ラインＬ１上に表示された場合に、ＲＢＢを作動させるとともに遊技状態をボーナス成立状態からＲＢＢ作動状態へ移行させる。また、遊技状態移行制御手段１７０は、リール制御手段１３０によるリール停止制御によりＣＢＢの入賞図柄組合せが有効ラインＬ１上に表示された場合に、ＣＢＢを作動させるとともに遊技状態をボーナス成立状態からＣＢＢ作動状態へ移行させる。
【００９６】
ＲＢＢ作動状態へ移行した場合、遊技状態移行制御手段１７０は、遊技状態制御データ記憶手段１９８の有するカウンタであるボーナス終了判定カウンタ（不図示）へ値を加算する処理を開始する。第１の実施形態のＲＢＢ作動状態は、第１種特別役物としてのレギュラーボーナス（以下、レギュラーボーナスを「ＲＢ」と記載）の入賞図柄組合せの表示によらずにＲＢが連続で作動するように構成されている。ＲＢＢ作動状態からは、ＲＴ４状態への移行が可能となっている。具体的には、ＲＢＢ作動状態において、３４９枚を超えるメダルの払い出しが実行され、ボーナス終了判定カウンタに記憶されている値が予め定められた所定の払出数に対応する値（第１の実施形態では値「３５０」）に到達した場合に、作動しているＲＢＢを終了するとともに、遊技状態をＲＴ４状態に移行する。ＲＢＢ作動状態では、小役の当選エリアとして当選エリア「ＪＡＣ」が設定され、極めて高い確率で当選エリア「ＪＡＣ」に当選するように設定された内部抽選テーブルＥを参照した内部抽選が行われる。
【００９７】
ＣＢＢ作動状態へ移行した場合、遊技状態移行制御手段１７０は、記憶手段１９０の有するカウンタであるボーナス終了判定カウンタへ値を加算する処理を開始する。第１の実施形態のＣＢＢ作動状態は、ＣＢの入賞図柄組合せの表示によらずにＣＢが連続で作動するように構成されている。ＣＢＢ作動状態からは、ＲＴ４状態への移行が可能となっている。具体的には、ＣＢＢ作動状態において、６９枚を超えるメダルの払い出しが実行され、ボーナス終了判定カウンタに記憶されている値が予め定められた所定の払出数に対応する値（第１の実施形態では値「７０」）に到達した場合に、作動しているＣＢＢを終了するとともに、遊技状態をＲＴ４状態に移行する。ＣＢＢ作動状態では、内部抽選の結果がハズレ（不当選）となるように設定された内部抽選テーブルＦを参照した内部抽選が行われる。
【００９８】
なお、第１の実施形態の内部抽選手段１２０は、上述した通り、遊技状態がＣＢＢ作動状態である場合、ＣＢの入賞図柄組合せの表示によらずＣＢが連続して作動するように構成されていることから、内部抽選の結果によらずすべての小役の抽選フラグを成立状態にセットする。また、リール制御手段１３０は、リール停止制御において、配当が多い小役、つまりベルを入賞させることができる停止位置ほど優先順位が高くなるように各停止位置の候補の優先度を求め、ベルの入賞図柄組合せが有効ラインＬ１〜有効ラインＬ３のいずれかの上に表示されるように回転している第１リールＲ１〜第３リールＲ３を停止する。
【００９９】
演出制御手段１８０は、演出データ記憶手段１９６に記憶されている演出データに基づいて、例えば、表示装置３３０を用いて行う表示演出や音響装置３４０を用いて行う音響演出等、遊技に関する演出に係る制御を行う。具体的には、メダルの投入、シングルベットボタンＢＴ、マックスベットボタンＭＢ、スタートレバーＳＬ、ストップボタンＢ１〜ストップボタンＢ３に対する操作等への遊技者によるスロットマシン１の各構成の操作時や、遊技状態の変動等の遊技イベントの発生時に、ランプ及びＬＥＤの点灯あるいは点滅、表示装置３３０の表示内容の変化、スピーカからの音の出力、スタートスイッチ２３０からスタート信号が出力された状態で第１リールＲ１〜第３リールＲ３の回転開始を遅延させる第１リールＲ１〜第３リールＲ３を用いた演出等を実行することにより、遊技を盛り上げる演出や、遊技を補助するための演出の実行制御を行う。
【０１００】
また、演出制御手段１８０は、各演出状態に基づく演出を演出装置３００を構成する各構成に実行させる。なお、第１の実施形態において、演出制御手段１８０は、乱数を用いる抽選処理ごとに、乱数生成手段１１０の乱数格納領域から乱数を取得し、演出抽選テーブル記憶手段１９７に記憶されている複数の演出抽選テーブルのうち、各抽選処理に必要な演出抽選テーブルを用いて各抽選処理を実行する。
【０１０１】
有利期間制御手段２００Ａは、特定役の入賞を補助する入賞補助制御を実行可能な遊技が実行される期間である有利期間（有利区間）と、入賞補助制御が実行されない遊技が実行される期間である非有利期間（非有利区間）と、の間での移行に係る制御を実行する。有利期間制御手段２００Ａは、有利期間と非有利期間との間での移行に係る制御として、非有利期間内における遊技において、設定値記憶手段１９１に記憶されている設定値がいずれの値であっても当選確率が変動せず、かつ非ＲＴ状態〜ＲＴ４状態のいずれの遊技状態である場合にも当選可能な当選エリアのうち、当選エリア「ＲＢＢ」に当選した場合と、当選エリア「１枚役１」〜当選エリア「１枚役４」のいずれかに当選した場合と、に、非有利期間を終了し有利期間を開始することを決定する。
【０１０２】
有利期間制御手段２００Ａは、記憶手段１９０の有利期間制御データ記憶手段２０１に記憶されているデータを参照し、有利期間に係る制御を実行する。また、有利期間制御手段２００Ａは、有利期間制御手段２００Ａによる有利期間を開始している場合、有利期間を終了する条件が成立した際に、有利期間を終了し次ゲームから非有利期間を開始するとともに、有利期間内において設定した各種フラグ、数値等を初期化する処理である終了処理を実行する。また、有利期間制御手段２００Ａは、有利期間を開始した場合に有利期間報知部５００Ａを点灯させ、非有利期間を開始した場合に有利期間報知部５００Ａを消灯させる。
【０１０３】
また、有利期間制御手段２００Ａは、設定値記憶手段１９１に記憶される設定値によって内部抽選における当選確率が変更される当選エリアの当選時において、有利期間の開始及び終了に係る処理の実行を規制するように構成されているとともに、後述する指示機能状態制御手段２００Ｂについて、入賞補助制御を実行可能な状態であるＡＴ状態を含む指示機能に係る状態である複数の指示機能状態の間での指示機能状態の移行に係る処理等の指示機能の作動に係る処理以外の処理（指示機能処理）を、設定値に関連する情報を参照して実行しないように構成されている。このように構成されることにより、スロットマシン１は、設定値記憶手段１９１に記憶される設定値によって遊技性に著しい差が生じてしまい、過度な射幸性が生まれてしまうことを防ぐことができる。
【０１０４】
指示機能状態制御手段２００Ｂは、有利期間制御手段２００Ａによって有利期間が開始されている場合に、特定役の入賞を補助する指示機能の作動に係る処理（入賞補助制御）と、入賞補助制御を実行可能な状態であるＡＴ状態を含む指示機能に係る状態である複数の指示機能状態の間での指示機能状態の移行に係る処理等の指示機能の作動に係る処理以外の処理（指示機能処理）を含む指示機能に係る制御（アシストタイム制御）を行う。第１の実施形態において、指示機能状態制御手段２００Ｂは、指示機能状態が入賞補助制御を実行可能な状態である場合に、指示機能作動処理として、内部抽選手段１２０に当選した当選エリアに応じてそれぞれ異なる当選コマンドを作成させ、作成させた当選コマンドを主制御表示装置５００に送信させることで、内部抽選で当選した当選エリアがいずれの当選エリアであるかを報知し、遊技者にストップボタンＢ１〜ストップボタンＢ３の操作方法を指示する機能（指示機能）である報知表示が主制御表示装置５００に実行される制御である入賞補助制御を実行可能となるように構成されている。
【０１０５】
ここで、入賞補助制御の対象になる当選エリアは、当選エリア「打順リプレイ１」〜当選エリア「打順リプレイ６」が含まれる。また、入賞補助制御によって入賞する確率が上がる役（特定役）は、当選エリア「打順リプレイ１」〜当選エリア「打順リプレイ６」の当選時のＲＴ２移行リプレイである。
【０１０６】
また、指示機能状態制御手段２００ＢによってＡＴ状態が実行されている場合、演出制御手段１８０は、内部抽選手段１２０から送信される当選コマンドに基づき、特定役の入賞を補助する演出である入賞補助演出を実行する。例えば、演出制御手段１８０は、内部抽選で当選エリア「打順リプレイ１」に当選したことを示す当選コマンドが内部抽選手段１２０から送信された場合、ＲＴ２移行リプレイを入賞させることができる正解打順を演出装置３００によって報知する入賞補助演出を実行する。
【０１０７】
図７は、第１の実施形態の有利期間制御手段２００Ａによって制御される期間と、指示機能状態制御手段２００Ｂによって制御される指示機能状態と、についての詳細を示す状態遷移図である。なお、図７に示す指示機能に係る制御とは、内部抽選手段１２０による内部抽選の結果に基づき実行される指示機能に係る制御の有無を示している。
【０１０８】
図７に示すように、非有利期間は、内部抽選手段１２０による内部抽選の結果に基づく指示機能状態制御手段２００Ｂによる指示機能に係る制御を含むすべての指示機能に係る制御が実行されない期間である。有利期間制御手段２００Ａは、非有利期間における遊技において、内部抽選手段１２０による内部抽選で当選エリア「ＲＢＢ」又は当選エリア「１枚役１」〜当選エリア「１枚役４」に当選するまで非有利期間を継続する。有利期間制御手段２００Ａは、内部抽選で当選エリア「ＲＢＢ」に当選し、かつ当選した遊技でＲＢＢが入賞しなかった場合には、非有利期間を終了し次ゲームから待機期間（待機区間）を開始し、内部抽選で当選エリア「ＲＢＢ」に当選し、かつ当選した遊技でＲＢＢが入賞した場合と、内部抽選で当選エリア「１枚役１」〜当選エリア「１枚役４」に当選した場合と、には、非有利期間を終了し次ゲームから有利期間を開始する。
【０１０９】
待機期間は、遊技状態移行制御手段１７０によって制御される遊技状態がボーナス成立状態であり、かつ有利期間の開始が決定されている場合に開始される期間であり、内部抽選手段１２０による内部抽選の結果に基づく指示機能状態制御手段２００Ｂによる指示機能に係る制御を含むすべての指示機能に係る制御が実行されない期間である。有利期間制御手段２００Ａは、待機期間における遊技において、ＲＢＢが入賞するまで待機期間を継続し、ＲＢＢが入賞した場合に待機期間を終了し次ゲームから有利期間を開始する。
【０１１０】
有利期間は、内部抽選手段１２０による内部抽選の結果に基づく指示機能状態制御手段２００Ｂによる指示機能に係る制御が実行可能な期間である。有利期間制御手段２００Ａは、有利期間を開始した遊技から、有利期間制御データ記憶手段２０１に含まれるカウンタであり、有利期間制御手段２００Ａによって更新される値を記憶する有利期間終了判定カウンタ２０１ａに、１回の遊技が実行されるごとに１ゲームに相当する値である値「１」を加算し、有利期間終了判定カウンタの記憶値を累積的にインクリメント更新する更新処理を実行し、１５００ゲームの遊技が実行された場合、つまり有利期間終了判定カウンタの記憶値が値「１５００」になった場合に、有利期間を終了させる条件として特定終了条件が成立したと判定し、有利期間を終了させて次ゲームから非有利期間を開始する終了処理を実行する。有利期間制御手段２００Ａは、終了処理において、有利期間においてＯＮ状態にセットした各フラグや有利期間において設定した値等の有利期間における各種制御処理で用いた情報をすべて初期化する。この、有利期間が開始されてから１５００ゲームの遊技が実行されるまでの期間が、第１の実施形態における所定の期間を構成する。
【０１１１】
また、有利期間制御手段２００Ａは、有利期間中にＲＢＢ又はＣＢＢに当選した場合に、指示機能状態制御手段２００Ｂによる内部抽選手段１２０による内部抽選の結果に基づく指示機能に係る制御のうち入賞補助制御以外の制御を中止させる。有利期間制御手段２００Ａは、有利期間中にＲＢＢが入賞した場合には、遊技状態がＲＢＢ作動状態に移行した遊技から指示機能状態制御手段２００Ｂによる指示機能に係る制御のうちＲＢＢに当選したことに基づき中止した入賞補助制御以外の制御（指示機能処理）を再び実行可能にし、有利期間中にＣＢＢが入賞した場合には、遊技状態がＣＢＢ作動状態からＲＴ４状態に移行した遊技から指示機能状態制御手段２００Ｂによる指示機能に係る制御のうちＣＢＢに当選したことに基づき中止した入賞補助制御以外の制御（指示機能処理）を再び実行可能にする。
【０１１２】
上述した通り、第１の実施形態のスロットマシン１においては、当選エリア「ＲＢＢ」が、設定値記憶手段１９１に記憶されている設定値がいずれの値であっても当選確率が変動せず、かつ非ＲＴ状態〜ＲＴ４状態のいずれの遊技状態である場合にも当選可能な当選エリアとして設定され、当選エリア「ＣＢＢ」が、設定値記憶手段１９１に記憶されている設定値によって当選確率が変動する当選エリアとして設定されている。このため、指示機能状態制御手段２００Ｂは、有利期間中におけるＲＢＢ作動状態が、設定値記憶手段１９１に記憶されている設定値によって当選確率が変動しないボーナスである第１の実施形態における第１ボーナスの作動に基づき開始される状態であることから、有利期間中におけるＲＢＢ作動状態において指示機能に係る制御を実行可能に構成され、有利期間中におけるＣＢＢ作動状態が、設定値記憶手段１９１に記憶されている設定値によって当選確率が変動するボーナスである第１の実施形態における第２ボーナスの作動に基づき開始される状態であることから、有利期間中におけるＣＢＢ作動状態において指示機能処理を実行しないように構成されている。
【０１１３】
なお、第１の実施形態のスロットマシン１は、有利期間中に作動するボーナスによって、内部抽選手段１２０による内部抽選の結果に基づく指示機能状態制御手段２００Ｂによる指示機能に係る制御を再開するか否かを決定する必要があることから、有利期間制御手段２００Ａによって有利期間が開始された状態でＲＢＢ及びＣＢＢを含むいずれかのボーナスが入賞した場合に、ボーナスを作動させる契機が成立したと判定し、ボーナスの作動に係る処理である作動処理と、指示機能に係る処理である指示機能処理と、を含む処理である共通処理を実行する。共通処理の詳細については、後述する。
【０１１４】
また、第１の実施形態の有利期間制御手段２００Ａは、遊技状態が非ボーナス状態である場合の他に、ボーナス成立状態、ＲＢＢ作動状態及びＣＢＢ作動状態のいずれの遊技状態である場合にも、遊技状態が非ボーナス状態である場合と同様に、１回の遊技が実行されるごとに１ゲームに相当する値である値「１」ずつ有利期間終了判定カウンタ２０１ａの記憶値を累積的に加算（更新）する更新処理を実行する。
【０１１５】
次に、指示機能状態制御手段２００Ｂによって制御される指示機能状態について説明する。図７に示すように、第１の実施形態のスロットマシン１は、有利期間制御手段２００Ａによって有利期間が開始された際における指示機能に係る状態（指示機能状態）として、チャンスゾーン状態（ＣＺ状態）、ＡＴ状態、ボーナス待機状態、有利中ＲＢＢ状態及び有利中ＣＢＢ状態を有している。
【０１１６】
ＣＺ状態は、遊技状態移行制御手段１７０によって制御される遊技状態がＲＴ３状態以外である状態で、当選エリア「１枚役１」〜当選エリア「１枚役４」のいずれかに当選することで、有利期間制御手段２００Ａによって有利期間が開始された場合と、非有利期間での遊技における内部抽選で当選したＲＢＢが作動することで有利期間制御手段２００Ａによって有利期間が開始されるとともに有利中ＲＢＢ状態が開始され、該有利中ＲＢＢ状態が終了した場合と、有利期間を終了することなくＡＴ状態が終了した場合と、に開始される指示機能状態であり、指示機能状態制御手段２００Ｂによる指示機能に係る制御が実行可能な状態である。ＣＺ状態からは、ＡＴ状態に移行可能であり、ＡＴ状態に直接移行することができない非有利期間よりも有利な状態となっている。
【０１１７】
指示機能状態制御手段２００Ｂは、指示機能状態制御手段２００Ｂによる制御の実行時に参照されるデータを記憶する指示機能状態制御データ記憶手段２０２に含まれるカウンタであり、ＣＺ状態において実行された遊技回数を計数するカウンタである指示機能ゲーム数カウンタ２０２ａの記憶値に対して、ＣＺ状態において１回の遊技が実行される都度、１ゲームに相当する値である値「１」ずつ減算する処理である指示機能ゲーム数カウンタ減算処理を実行する。指示機能ゲーム数カウンタ減算処理によって指示機能ゲーム数カウンタ２０２ａの記憶値が値「０」になった場合に、指示機能状態制御手段２００Ｂは、ＡＴ状態への移行条件が成立したと判定し、指示機能状態をＣＺ状態からＡＴ状態に移行する。
【０１１８】
第１の実施形態において、指示機能状態制御手段２００Ｂは、非有利期間から有利期間に移行し、ＣＺ状態が開始された際に、指示機能ゲーム数カウンタ２０２ａの記憶値に初期値として値「１００」をセットする。また、指示機能状態制御手段２００Ｂは、ＣＺ状態における内部抽選で当選エリア「ＲＢＢ」又は当選エリア「ＣＢＢ」に当選し、当選したＲＢＢ又はＣＢＢが作動する際に、指示機能ゲーム数カウンタ２０２ａの記憶値を設定する処理である期間設定処理を実行する。期間設定処理の詳細については、後述する。
【０１１９】
また、指示機能状態制御手段２００Ｂは、内部抽選手段１２０による内部抽選における当選エリア「レア役」又は当選エリア「レアリプレイ」の当選時に実行する抽選であり、指示機能状態をＡＴ状態に移行するか否かを決定する抽選であるＡＴ抽選で「ＡＴ状態への移行」に当選した場合に、ＡＴ状態への移行条件が成立したと判定し、指示機能状態をＣＺ状態からＡＴ状態に移行する。
【０１２０】
そして、指示機能状態制御手段２００Ｂは、内部抽選手段１２０による内部抽選でハズレ（不当選）となった際に、ＣＺ状態を終了するか否かを決定する抽選であるＣＺ終了抽選を実行し、ＣＺ終了抽選で「ＣＺ状態の終了」に当選した場合に、ＣＺ状態の終了条件が成立したと判定する。ＣＺ終了抽選で「ＣＺ状態の終了」に当選したことに基づき指示機能状態制御手段２００ＢがＣＺ状態を終了する場合、有利期間制御手段２００Ａは、有利期間を終了し終了処理を実行した後に非有利期間を開始する。
【０１２１】
上述した通り、リール制御手段１３０は、小役を含む当選態様に内部抽選手段１２０による内部抽選で当選した場合に、ストップボタンＢ１〜ストップボタンＢ３が押下操作されストップスイッチ２４０が検出した打順がいずれの打順であった場合にも、いずれも配当が同一の小役を表示可能となるようにリール停止制御を実行するように構成されている。
【０１２２】
仮に、指示機能作動処理を実行することで入賞する確率が変化する役（指示機能に係るくじ）に小役が含まれた場合、スロットマシン１は、有利期間の開始の都度１回は入賞補助制御を実行して、入賞補助制御の実行により入賞可能となる小役を入賞可能にしなければならず、遊技機の性能として非ＡＴ状態におけるメダルの払出数が増加してしまい、遊技機の設計自由度が低下する虞がある。
【０１２３】
しかしながら、指示機能に係るくじに小役の入賞が含まれない構成であることにより、第１の実施形態のスロットマシン１は、ＣＺ終了抽選で「ＣＺ状態の終了」に当選した場合に、速やかに有利期間を終了することができ、遊技機の設計自由度を向上させることができる。
【０１２４】
ＡＴ状態は、ＣＺ状態においてＡＴ状態への移行条件が成立した場合に開始される指示機能状態であり、指示機能状態制御手段２００Ｂによる指示機能に係る制御が実行可能な状態である。
【０１２５】
ＡＴ状態を開始する際において、指示機能状態制御手段２００Ｂは、指示機能状態制御データ記憶手段２０２に含まれるカウンタであり、ＡＴ状態における入賞補助制御の実行回数を管理するカウンタである入賞補助制御回数カウンタ（不図示）の記憶値が初期値である値「０」である場合に、ＡＴ状態の開始に伴い予め定められた値（例えば値「３」）をセットする。一方、入賞補助制御回数カウンタの記憶値が初期値とは異なる値である場合には、指示機能状態制御手段２００Ｂは、ＡＴ状態の開始に伴い入賞補助制御回数カウンタの記憶値を変更することなくＡＴ状態を開始する。
【０１２６】
指示機能状態制御手段２００Ｂは、ＡＴ状態における毎回の遊技において、入賞補助制御回数カウンタの記憶値に加算（上乗せ）する値を決定する抽選である入賞補助制御回数上乗せ抽選を実行し、抽選によって決定した値を入賞補助制御回数カウンタに加算する。入賞補助制御回数上乗せ抽選において、指示機能状態制御手段２００Ｂは、まず、内部抽選で当選した当選エリアを参照し、指示機能状態制御データ記憶手段２０２から、複数の乱数のそれぞれに対して値「０」〜値「３」が対応付けられているデータテーブルであり、内部抽選で当選した当選エリアごとに値「０」〜値「３」に対応付けられている乱数が異なるデータテーブルである入賞補助制御回数上乗せ抽選テーブルを取得する。そして、指示機能状態制御手段２００は、乱数格納領域（不図示）から取得した乱数と、指示機能状態制御データ記憶手段２０２から取得した入賞補助制御回数上乗せ抽選テーブルと、を比較して、比較結果に基づき入賞補助制御回数カウンタに加算する値を決定し、決定した値を入賞補助制御回数カウンタの記憶値に加算することで、ＡＴ状態において入賞補助制御が実行される回数を上乗せ可能にする。
【０１２７】
ここで、入賞補助制御回数上乗せ抽選テーブルは、当選エリア「レア役」及び当選エリア「レアリプレイ」といった、他の役の当選時よりも遊技者に有利な特典が付与される可能性が高い役として用いられる役に対応する入賞補助制御回数上乗せ抽選テーブルの方が、当選エリア「１枚役１」〜当選エリア「１枚役４」、当選エリア「ベル」、当選エリア「通常リプレイ」、当選エリア「打順リプレイ１」〜当選エリア「打順リプレイ６」に対応する入賞補助制御回数上乗せ抽選テーブルよりも、入賞補助制御回数カウンタに加算する値の期待値が高くなるように構成されている。
【０１２８】
指示機能状態制御手段２００Ｂは、入賞補助制御回数カウンタの記憶値が値「０」となった場合に、ＡＴ状態を終了する。入賞補助制御回数カウンタの記憶値が値「０」となりＡＴ状態が終了する場合、有利期間制御手段２００Ａは、有利期間を終了し終了処理を実行した後に非有利期間を開始する。
【０１２９】
ＡＴ状態において、指示機能状態制御手段２００Ｂは、内部抽選手段１２０による内部抽選で当選エリア「打順リプレイ１」〜当選エリア「打順リプレイ６」の当選時に、入賞補助制御を実行可能に構成されている。上述した通り、スロットマシン１では、入賞補助制御が実行されることで、当選エリア「打順リプレイ１」〜当選エリア「打順リプレイ６」の当選時にはＲＴ２移行リプレイの入賞する確率が上がるように構成されている。これにより、第１の実施形態のスロットマシン１では、有利期間においてＡＴ状態が開始され有利期間で実行された遊技回数が１５００ゲーム以下である場合、非ＲＴ状態、ＲＴ１状態、ＲＴ２状態の間で遊技状態が循環する遊技を実現可能となっている。
【０１３０】
ＡＴ状態において、指示機能状態制御手段２００Ｂは、当選エリア「打順リプレイ１」〜当選エリア「打順リプレイ６」の当選時にＲＴ２移行リプレイの入賞補助制御を実行し、遊技状態がＲＴ２状態に移行した場合、ＲＴ２状態から非ＲＴ状態に移行し、その後非ＲＴ状態からＲＴ１状態に移行した際に、入賞補助制御回数カウンタの記憶値から１回の入賞補助制御の実行に相当する値「１」を減算する。
【０１３１】
上述した通り、第１の実施形態の遊技状態移行制御手段１７０は、非ボーナス状態においてＲＢＢ又はＣＢＢに当選し、当選したＲＢＢ又はＣＢＢが作動するボーナス状態に遊技状態を移行した場合、ボーナス状態の終了後の遊技状態として、ＲＴ４状態に遊技状態を移行するように構成されている。つまり、遊技状態移行制御手段１７０は、ＲＴ２状態においてＲＢＢ又はＣＢＢに当選した場合、本来であれば２１ゲーム継続するはずであったリプレイに高確率で当選するＲＴ２状態を２１ゲーム消化することなくＲＢＢ又はＣＢＢに当選した時点で終了し、ボーナス状態の終了後、当選エリア「１枚役１」〜当選エリア「１枚役４」に当選し、リール制御手段１３０によるリール停止制御によって小役、リプレイ及びボーナスの入賞図柄組合せとは異なる特定の図柄組合せ（取りこぼし目）が有効ラインＬ１〜有効ラインＬ３のいずれかの上に表示されるまで継続するリプレイの当選確率が低いＲＴ４状態に遊技状態を移行するように構成されている。
【０１３２】
また、第１の実施形態のスロットマシン１では、次ゲームの遊技状態がＲＴ３状態に設定されてしまった場合に、有利期間が終了するように構成されている。つまり、第１の実施形態のスロットマシン１では、入賞補助制御回数カウンタの記憶値が値「０」となり指示機能状態がＣＺ状態に移行してしまった場合、当選エリア「打順リプレイ１」〜当選エリア「打順リプレイ６」の当選時に５／６の確率で入賞するＲＴ３移行リプレイの入賞により有利期間が終了するように構成されている。
【０１３３】
このため、第１の実施形態のスロットマシン１では、入賞補助制御回数カウンタの記憶値が値「１」以上である場合には、当選エリア「打順リプレイ１」〜当選エリア「打順リプレイ６」の当選時におけるＲＴ２移行リプレイの入賞補助制御の実行が保障され、有利期間の維持が保障されるように構成されている。ここで、仮に、ＲＴ２移行リプレイの入賞補助制御の実行時に入賞補助制御回数カウンタの記憶値が減算される構成であると、スロットマシン１は、ＲＴ２状態中におけるボーナスの当選によりＲＴ２状態での遊技が十分に実行されなかった場合に、ＲＴ２状態で本来受けることができた利益を遊技者が獲得できなくなってしまい、遊技者の遊技に対する興趣が低下してしまう虞がある。
【０１３４】
しかしながら、第１の実施形態のスロットマシン１は、当選エリア「打順リプレイ１」〜当選エリア「打順リプレイ６」の当選時にＲＴ２移行リプレイの入賞補助制御を実行し、遊技状態がＲＴ２状態に移行した場合、ＲＴ２状態から非ＲＴ状態に移行し、その後非ＲＴ状態からＲＴ１状態に移行した際に、入賞補助制御回数カウンタの記憶値から１回の入賞補助制御の実行に相当する値「１」を減算することで、ＲＴ２状態がボーナスの当選により途中で終了してしまった際には、非ＲＴ状態からではなくＲＴ４状態からＲＴ１状態に移行するため、入賞補助制御回数カウンタの記憶値が減算されることがなく、ＲＴ２状態から非ＲＴ状態に移行した場合、つまりＲＴ２状態で本来受けることができた利益を遊技者が獲得した際に入賞補助制御回数カウンタの記憶値が減算されるため、遊技者の遊技に対する興趣が低下してしまうことを防ぐことができる。
【０１３５】
なお、第１の実施形態の有利期間制御手段２００Ａは、有利期間を開始した状態で遊技状態がＲＴ１状態からＲＴ３状態に移行した場合に、入賞補助制御回数カウンタの記憶値が値「１」以上、つまり指示機能状態制御手段２００Ｂによって指示機能状態がＡＴ状態に制御されている場合であっても、有利期間を終了するように構成されている。
【０１３６】
次に、有利期間制御手段２００Ａによって有利期間が開始され、かつ指示機能状態制御手段２００ＢによってＣＺ状態、ＡＴ状態の複数の指示機能状態のいずれかが実行されている状態における遊技で、ＲＢＢ又はＣＢＢに当選した場合に移行する指示機能状態であるボーナス待機状態と、当選したＲＢＢが作動した場合に移行する有利中ＲＢＢ状態と、ＣＢＢが作動した場合に移行する有利中ＣＢＢ状態と、について説明する。
【０１３７】
ボーナス待機状態は、遊技状態移行制御手段１７０によって制御される遊技状態がボーナス成立状態、つまり遊技状態種別記憶手段１９８ｂに記憶される遊技状態種別値が遊技状態種別値「５」であり、かつ有利期間制御手段２００Ａによって有利期間が開始されている場合に開始される指示機能状態であり、指示機能状態制御手段２００Ｂによる内部抽選手段１２０による内部抽選で当選した当選エリアに基づく指示機能に係る制御のうち入賞補助制御以外の制御（指示機能処理）が実行されない状態である。指示機能状態制御手段２００Ｂは、ボーナス待機状態における遊技において、ＲＢＢ又はＣＢＢが入賞するまでボーナス待機状態を継続し、ＲＢＢが入賞した場合には、ボーナス待機状態を終了し次ゲームから有利中ＲＢＢ状態を開始し、ＣＢＢが入賞した場合には、ボーナス待機状態を終了し次ゲームから有利中ＣＢＢ状態を開始する。
【０１３８】
有利中ＲＢＢ状態は、遊技状態移行制御手段１７０によって制御される遊技状態がＲＢＢ作動状態、つまり遊技状態種別記憶手段１９８ｂに記憶される遊技状態種別値が遊技状態種別値「６」であり、かつ有利期間制御手段２００Ａによって有利期間が開始されている場合に開始される指示機能状態であり、指示機能状態制御手段２００Ｂによる内部抽選手段１２０による内部抽選で当選した当選エリアに基づく指示機能に係る制御が実行可能な状態である。有利中ＲＢＢ状態において、指示機能状態制御手段２００Ｂは、遊技状態移行制御手段１７０によって遊技状態がＲＢＢ作動状態からＲＴ４状態に移行されるまで、つまり遊技状態種別記憶手段１９８ｂに記憶される遊技状態種別値が遊技状態種別値「６」から遊技状態種別値「４」に更新されるまで有利中ＲＢＢ状態を継続し、遊技状態がＲＴ４状態に移行された場合に、有利中ＲＢＢ状態を終了し、内部抽選で当選エリア「ＲＢＢ」に当選した遊技において制御していた指示機能状態を再開する。
【０１３９】
有利中ＣＢＢ状態は、遊技状態移行制御手段１７０によって制御される遊技状態がＣＢＢ作動状態、つまり遊技状態種別記憶手段１９８ｂに記憶される遊技状態種別値が遊技状態種別値「７」であり、かつ有利期間制御手段２００Ａによって有利期間が開始されている場合に開始される指示機能状態であり、指示機能状態制御手段２００Ｂによる内部抽選手段１２０による内部抽選で当選した当選エリアに基づく指示機能に係る制御のうち入賞補助制御以外の制御（指示機能処理）が実行されない状態である。有利中ＣＢＢ状態において、指示機能状態制御手段２００Ｂは、遊技状態移行制御手段１７０によって遊技状態がＣＢＢ作動状態からＲＴ４状態に移行されるまで、つまり遊技状態種別記憶手段１９８ｂに記憶される遊技状態種別値が遊技状態種別値「７」から遊技状態種別値「４」に更新されるまで有利中ＣＢＢ状態を継続し、遊技状態がＲＴ４状態に移行された場合に、有利中ＣＢＢ状態を終了し、内部抽選で当選エリア「ＣＢＢ」に当選した遊技において制御していた指示機能状態を再開する。
【０１４０】
指示機能状態のいずれかを実行している状態における遊技での内部抽選で当選エリア「ＲＢＢ」又は当選エリア「ＣＢＢ」に当選した場合、指示機能状態制御手段２００Ｂは、実行中であった指示機能状態についての情報を記憶し、指示機能状態をボーナス待機状態に移行した後に、実行中であった指示機能状態を中断する。指示機能状態についての情報には、例えば、ＡＴ状態の実行中における内部抽選で当選エリア「ＲＢＢ」に当選した場合であれば、入賞補助制御回数カウンタの現在の記憶値が含まれる。
【０１４１】
２．ＣＺ状態における制御処理
次に、図８（Ａ）、（Ｂ）を参照して、第１の実施形態に係るスロットマシン１が実行するＣＺ状態中における各種制御処理について説明する。
【０１４２】
＜ＣＺ状態中における制御処理＞
図８（Ａ）は、第１の実施形態のスロットマシン１において、指示機能状態制御手段２００ＢがＣＺ状態で実行する各種制御処理の詳細を示すタイムチャートである。図８（Ａ）に示すように、スロットマシン１では、非有利期間から有利期間に移行しＣＺ状態が開始された時点ｔ０において、指示機能ゲーム数カウンタ２０２ａの記憶値として初期値である値「１００」が設定されている。時点ｔ０から所定ゲーム（図８（Ａ）に示す例では４０ゲーム）後の時点ｔ１までにおいて、指示機能状態制御手段２００Ｂは、毎回の遊技の実行時に指示機能ゲーム数カウンタ２０２ａの記憶値を１回の遊技に相当する値「１」ずつ減算する指示機能ゲーム数カウンタ減算処理を実行する。
【０１４３】
時点ｔ０から４０ゲーム後の時点ｔ１において、スロットマシン１では、内部抽選手段１２０による内部抽選で、設定値記憶手段１９１に記憶される設定値によらず当選確率が一定のボーナスを含む当選エリアである当選エリア「ＲＢＢ」に当選したことに基づき、指示機能状態制御手段２００Ｂが指示機能状態をＣＺ状態からボーナス待機状態に移行する。指示機能状態制御手段２００Ｂは、内部抽選手段１２０による内部抽選で当選した当選エリアに基づく指示機能に係る制御のうち入賞補助制御以外の制御（指示機能処理）が実行されない状態であるボーナス待機状態に移行したことに基づき、指示機能処理に含まれる処理である指示機能ゲーム数カウンタ減算処理の実行を中断する。
【０１４４】
時点ｔ２において、スロットマシン１では、リール制御手段１３０によるリール停止制御によって有効ラインＬ１〜有効ラインＬ３のいずれかの上にＲＢＢの入賞図柄組合せが表示され、有利期間中にＲＢＢが作動する。時点ｔ２において、指示機能状態制御手段２００Ｂは、ボーナスの作動に係る共通処理を実行する。ボーナスの作動に係る共通処理において、指示機能状態制御手段２００Ｂは、ＲＢＢが作動することに伴い指示機能状態を有利中ＲＢＢ状態に移行する。また、指示機能状態制御手段２００Ｂは、該共通処理に含まれる期間設定処理を実行することで、指示機能ゲーム数カウンタ２０２ａの記憶値を、内部抽選で当選エリア「ＲＢＢ」に当選した際の記憶値である値「６０」から値「１００」に更新する。ボーナスの作動に係る共通処理の詳細については後述する。
【０１４５】
時点ｔ３において、スロットマシン１では、ＲＢＢ作動状態が終了する。ＲＢＢ作動状態が終了することに伴い、指示機能状態制御手段２００Ｂは、指示機能状態を有利中ＲＢＢ状態からＣＺ状態に移行して指示機能ゲーム数カウンタ減算処理を再開し、時点ｔ３から所定ゲーム（図８（Ａ）に示す例では６０ゲーム）後の時点ｔ４まで、指示機能ゲーム数カウンタ２０２ａの記憶値を毎ゲーム１ずつ減算する。
【０１４６】
時点ｔ３から６０ゲーム後の時点ｔ４において、スロットマシン１では、内部抽選手段１２０による内部抽選で、設定値記憶手段１９１に記憶される設定値によって当選確率が変更されるボーナスを含む当選エリアである当選エリア「ＣＢＢ」に当選したことに基づき、指示機能状態制御手段２００Ｂが指示機能状態をＣＺ状態からボーナス待機状態に移行する。指示機能状態制御手段２００Ｂは、内部抽選手段１２０による内部抽選で当選した当選エリアに基づく指示機能に係る制御のうち入賞補助制御以外の制御（指示機能処理）が実行されない状態であるボーナス待機状態に移行したことに基づき、指示機能処理に含まれる処理である指示機能ゲーム数カウンタ減算処理の実行を中断する。
【０１４７】
時点ｔ５において、スロットマシン１では、リール制御手段１３０によるリール停止制御によって有効ラインＬ１〜有効ラインＬ３のいずれかの上にＣＢＢの入賞図柄組合せが表示され、有利期間中にＣＢＢが作動する。時点ｔ５において、指示機能状態制御手段２００Ｂは、時点ｔ２においても実行したボーナスの作動に係る共通処理を実行する。ボーナスの作動に係る共通処理において、指示機能状態制御手段２００Ｂは、ＣＢＢが作動することに伴い指示機能状態を有利中ＣＢＢ状態に移行する。また、指示機能状態制御手段２００Ｂは、該共通処理に含まれる期間設定処理を実行することで、指示機能ゲーム数カウンタ２０２ａの記憶値を、内部抽選で当選エリア「ＣＢＢ」に当選した際の記憶値である値「４０」から値「１００」に更新する。ボーナスの作動に係る共通処理の詳細については後述する。
【０１４８】
時点ｔ６において、スロットマシン１では、ＣＢＢ作動状態が終了する。ＣＢＢ作動状態が終了することに伴い、指示機能状態制御手段２００Ｂは、指示機能状態を有利中ＣＢＢ状態からＣＺ状態に移行して指示機能ゲーム数カウンタ減算処理を再開し、時点ｔ６から指示機能ゲーム数カウンタ２０２ａによって管理される期間が終了する時点ｔ７（図８（Ａ）の例では時点ｔ６から指示機能ゲーム数カウンタ２０２ａの記憶値が値「０」となる１００ゲーム後）まで、指示機能ゲーム数カウンタ２０２ａの記憶値を毎ゲーム１ずつ減算する。
【０１４９】
時点ｔ６から１００ゲーム後の時点ｔ７において、スロットマシン１では、指示機能状態制御手段２００Ｂによる指示機能ゲーム数カウンタ減算処理によって、指示機能ゲーム数カウンタ２０２ａの記憶値が値「０」となる。指示機能状態制御手段２００Ｂは、指示機能ゲーム数カウンタ２０２ａの記憶値が値「０」となったことに基づき、ＡＴ状態への移行条件が成立したと判定し、指示機能状態をＡＴ状態に移行する。
【０１５０】
このように、第１の実施形態の指示機能状態制御手段２００Ｂは、複数の指示機能状態のうちＣＺ状態を開始してから１００ゲームの期間が経過した場合に、１００ゲームの期間が経過したことに基づく指示機能に係る処理として、指示機能状態をＣＺ状態からＡＴ状態に移行する処理を実行するように構成されている。この、ＣＺ状態が、第１の実施形態における特定指示機能状態を構成し、指示機能ゲーム数カウンタ２０２ａの記憶値によって管理される期間が、第１の実施形態における特定期間を構成し、ＣＺ状態において１００ゲームの期間が経過し指示機能状態がＣＺ状態からＡＴ状態に移行される処理が、第１の実施形態における特定指示機能処理を構成する。
【０１５１】
＜ボーナスの作動に係る共通処理＞
図８（Ｂ）は、遊技制御手段１０を構成する各手段が、有利期間中にボーナスが作動した場合（例えば、図８（Ａ）に示す時点ｔ２及び時点ｔ５）に実行する各種制御処理を示すフローチャートである。
【０１５２】
まず、指示機能状態制御手段２００Ｂが、ボーナス当選時における指示機能状態がＣＺ状態であったか否かを判定する（Ｓ１）。この処理において、指示機能状態制御手段２００Ｂは、内部抽選手段１２０による内部抽選において当選エリア「ＲＢＢ」又は当選エリア「ＣＢＢ」に当選した際における指示機能状態がＣＺ状態であったか否かを判定する。
【０１５３】
ステップＳ１の処理において、指示機能状態がＣＺ状態であると判定した場合には（ＹＥＳ）、指示機能状態制御手段２００Ｂは、指示機能ゲーム数カウンタ２０２ａによって管理される期間に係る設定を行う処理として、期間設定処理を実行する（Ｓ２）。この処理において、指示機能状態制御手段２００Ｂは、有利期間制御手段２００Ａによって有利期間が開始された状態でＲＢＢ及びＣＢＢのいずれかの作動に係る契機のうち、ＲＢＢの作動又はＣＢＢの作動という契機が成立したことに基づき、指示機能ゲーム数カウンタ２０２ａに予め定められた値であり初期値と同数の値である値「１００」をセットすることで、指示機能ゲーム数カウンタ２０２ａによって管理される期間を再設定（初期化）する処理を実行する。
【０１５４】
このように、第１の実施形態の指示機能状態制御手段２００Ｂは、当該ボーナスが設定差のある当選エリアに含まれるボーナスであったか否かに関わらず、つまり設定値記憶手段１９１に記憶される設定値によって内部抽選における当選確率が変更される当選エリアであるか否かによらず、有利期間中におけるボーナスの作動時において、ボーナスの作動に伴いステップＳ１、ステップＳ２の処理を実行するように構成されている、これらのステップＳ１、ステップＳ２の処理が、第１の実施形態におけるボーナスの作動に係る契機が成立したことに基づく指示機能に係る処理である共通処理及びボーナスを作動させる契機が成立したことに基づく指示機能に係る処理である作動時共通処理を構成する。
【０１５５】
ステップＳ２を実行した後又はステップＳ１の処理において、指示機能状態がＣＺ状態ではないと判定した場合には（ＮＯ）、遊技状態移行制御手段１７０及び指示機能状態制御手段２００Ｂが、ボーナスの作動に係る処理であるボーナス作動時における作動処理を実行し（Ｓ３）、有利期間中におけるボーナス作動時に実行する各種制御処理を終了する。この処理において、遊技状態移行制御手段１７０は、ボーナスの入賞に伴い遊技状態を入賞したボーナスに対応するボーナス状態に移行する処理と、ボーナスの入賞に伴い移行するボーナス状態に対応する抽選テーブルを設定する処理と、ボーナスの入賞に伴い移行するボーナス状態に対応する終了条件となるメダルの払出数を設定する処理と、の遊技状態の移行に伴い実行する各種処理を実行する。
【０１５６】
また、ステップＳ３の処理において、指示機能状態制御手段２００Ｂは、入賞したボーナスが設定値記憶手段１９１に記憶される設定値によって内部抽選の当選確率が変更されるボーナスであるか否かを判定し、設定値記憶手段１９１に記憶される設定値によらず内部抽選の当選確率が同一のボーナスであるＲＢＢが入賞したと判定した場合には、設定値によらず当選確率が変更されないボーナスが作動することに基づき、中断していた内部抽選で当選した当選エリアに基づく指示機能処理の実行を再開し、設定値記憶手段１９１に記憶される設定値によって内部抽選の当選確率が変更されるボーナスであるＣＢＢが入賞したと判定した場合には、設定値によって当選確率が変更されるボーナスが作動することに基づき、中断していた内部抽選で当選した当選エリアに基づく指示機能処理の実行を継続して中断するように構成されている。
【０１５７】
ここで、指示機能状態制御手段２００Ｂが再開又は中断を継続する指示機能処理には、入賞補助制御回数カウンタの上乗せに係る処理や、該上乗せに係る処理において用いる抽選テーブルを設定する、指示機能ゲーム数カウンタ減算処理等の処理が含まれる。また、指示機能状態制御手段２００Ｂは、内部抽選で当選した当選エリアに基づく指示機能処理の実行を継続して中断する場合、例えば、入賞補助制御回数カウンタの上乗せに係る処理として上乗せ抽選を実行可能であるものの、該上乗せ抽選において参照される抽選テーブルが、「ハズレ（不当選）」にすべての乱数が対応付けられている抽選テーブルが設定される等、遊技を実行した結果、指示機能処理が実行されない状態と同一の状態となるように構成されていればよい。
【０１５８】
なお、第１の実施形態のスロットマシン１は、非有利期間において当選エリア「ＲＢＢ」に当選し、当選したＲＢＢが作動することに基づき有利期間を開始する場合、図８に示すボーナス作動時の共通処理のうち、ステップＳ１の処理の実行前に、ＲＢＢが入賞した遊技の開始時における有利期間制御手段２００Ａによって制御される期間が非有利期間又は待機期間であったか否かを判定し、非有利期間又は待機期間であったと判定した場合には、ステップＳ１、ステップＳ２の処理を省略した上で入賞したボーナスを作動させる処理に移行する。また、スロットマシン１は、例えば、ステップＳ１の処理の実行前に、ＲＢＢが入賞した遊技の開始時における有利期間制御手段２００Ａによって制御される期間が非有利期間又は待機期間であったか否かを判定し、非有利期間又は待機期間であったと判定した場合に、有利期間制御手段２００Ａによって制御される期間を有利期間に設定する処理を実行した後にステップＳ２の処理を実行可能に構成されていてもよく、ステップＳ２の処理を実行し、ステップＳ３の処理の中で有利期間制御手段２００Ａによって制御される期間を有利期間に設定する処理を実行するように構成されていてもよい。
【０１５９】
以上のように、第１の実施形態のスロットマシン１は、設定値記憶手段１９１に記憶される設定値によらず内部抽選手段１２０による内部抽選における当選確率が同一のＲＢＢと、設定値記憶手段１９１に記憶される設定値によって内部抽選手段１２０による内部抽選における当選確率が変更されるＣＢＢと、のいずれかのボーナスの作動時（図８（Ａ）に示す時点ｔ２及び時点ｔ５）に実行される各種制御処理として、図８（Ｂ）に示すステップＳ３のボーナスの作動に係る作動処理に加え、ステップＳ１、ステップＳ２に示す指示機能ゲーム数カウンタ２０２ａによって管理される期間に係る設定を行う処理である期間設定処理を、ボーナスを作動させる契機が成立したことに基づく共通処理として実行可能に構成されていることで、いずれの設定値においても商品性を維持することができる。
【０１６０】
また、第１の実施形態のスロットマシン１は、有利期間制御手段２００Ａによって有利期間が開始された状態で、設定値記憶手段１９１に記憶される設定値によらず内部抽選手段１２０による内部抽選における当選確率が同一のＲＢＢと、設定値記憶手段１９１に記憶される設定値によって内部抽選手段１２０による内部抽選における当選確率が変更されるＣＢＢと、のいずれかのボーナスの作動時（図８（Ａ）に示す時点ｔ２及び時点ｔ５）に実行される各種制御処理として、図８（Ｂ）に示すステップＳ３のボーナスの作動に係る作動処理に加え、ステップＳ１、ステップＳ２に示す指示機能ゲーム数カウンタ２０２ａによって管理される期間に係る設定を行う処理である期間設定処理を、ボーナスを作動させる契機が成立したことに基づく共通処理として実行可能に構成されており、設定値記憶手段１９１に記憶される設定値によって内部抽選における当選確率が変更されるように構成されていることで、作動した際に内部抽選手段１２０による内部抽選の結果に基づく指示機能に係る制御の実行が規制されているＣＢＢの作動時においても、指示機能処理として期間設定処理を実行可能となるため、有利期間中におけるＣＢＢの作動時に遊技者の遊技に対する興趣を向上させることができ、有利期間を用いて商品性を向上させることができる。
【０１６１】
特に、第１の実施形態のスロットマシン１は、設定値記憶手段１９１に記憶される設定値が高くなれば高くなる程、内部抽選における当選エリア「ＣＢＢ」の当選確率が高くなるように構成されている。このため、第１の実施形態のスロットマシン１は、設定値記憶手段１９１に記憶される設定値によって内部抽選における当選確率が異なる当選エリアの当選時において、設定値に関連する情報を参照した指示機能処理の実行を行わない構成であるものの、当選エリア「ＣＢＢ」に当選しＣＢＢが作動した際にも共通処理に含まれる期間設定処理が実行されることで、設定値記憶手段１９１に記憶される設定値によって期間設定処理を実行する確率を変化、特に第１の実施形態では設定値を高くすればするほど期間設定処理を実行する確率を高くすることができ、設定値記憶手段１９１に記憶される設定値によって指示機能処理に含まれる処理である期間設定処理を実行する確率を高くすることができる。
【０１６２】
また、第１の実施形態のスロットマシン１は、ＣＺ状態において指示機能ゲーム数カウンタ２０２ａの記憶値が値「０」になる、つまりＣＺ状態において指示機能ゲーム数カウンタ２０２ａによって管理される期間が終了した際にＡＴ状態に移行するという特典が与えられる構成でありながら、ＣＺ状態においてボーナスに当選し、当選したボーナスが作動した際に指示機能ゲーム数カウンタ２０２ａによって管理される期間を再設定する構成であることで、ＡＴ状態への移行やボーナスの作動が発生することなくＣＺ状態が継続した場合の特典としてＡＴ状態を付与することができ、例えばボーナスの作動及び終了の直後にＡＴ状態が開始される等、過度な射幸性が生じ得る遊技性となってしまうことを防ぐことができる。
【０１６３】
［第２の実施形態］
次に、第１の実施形態を一部変更した第２の実施形態について、図９（Ａ）、（Ｂ）に沿って説明する。なお、第２の実施形態の説明においては、第１の実施形態と同様な部分について、同符号を用いて説明し、その詳細な説明は省略する。
【０１６４】
１．ＣＺ状態における制御処理
次に、図９（Ａ）、（Ｂ）を参照して、第２の実施形態に係るスロットマシン１が実行するＣＺ状態中における各種制御処理について説明する。
【０１６５】
＜ＣＺ状態中における制御処理＞
図９（Ａ）は、第２の実施形態のスロットマシン１において、指示機能状態制御手段２００ＢがＣＺ状態で実行する各種制御処理の詳細を示すタイムチャートである。図９（Ａ）に示すように、スロットマシン１では、非有利期間から有利期間に移行しＣＺ状態が開始された時点ｔ１０において、指示機能ゲーム数カウンタ２０２ａの記憶値として初期値である値「１００」が設定されている。時点ｔ１０から所定ゲーム（図９（Ａ）に示す例では４０ゲーム）後の時点ｔ１１までにおいて、指示機能状態制御手段２００Ｂは、毎回の遊技の実行時に指示機能ゲーム数カウンタ２０２ａの記憶値を１回の遊技に相当する値「１」ずつ減算する指示機能ゲーム数カウンタ減算処理を実行する。
【０１６６】
時点ｔ１０から４０ゲーム後の時点ｔ１１において、スロットマシン１では、内部抽選手段１２０による内部抽選で、設定値記憶手段１９１に記憶される設定値によらず当選確率が一定のボーナスを含む当選エリアである当選エリア「ＲＢＢ」に当選したことに基づき、指示機能状態制御手段２００Ｂが指示機能状態をＣＺ状態からボーナス待機状態に移行する。指示機能状態制御手段２００Ｂは、内部抽選手段１２０による内部抽選で当選した当選エリアに基づく指示機能に係る制御のうち入賞補助制御以外の制御（指示機能処理）が実行されない状態であるボーナス待機状態に移行したことに基づき、指示機能処理に含まれる処理である指示機能ゲーム数カウンタ減算処理の実行を中断する。
【０１６７】
時点ｔ１２において、スロットマシン１では、リール制御手段１３０によるリール停止制御によって有効ラインＬ１〜有効ラインＬ３のいずれかの上にＲＢＢの入賞図柄組合せが表示され、有利期間中にＲＢＢが作動する。時点ｔ１２において、指示機能状態制御手段２００Ｂは、ＲＢＢが作動することに伴い指示機能状態を有利中ＲＢＢ状態に移行する。なお、指示機能状態制御手段２００Ｂは、設定値記憶手段１９１に記憶される設定値によらず当選確率が変更されないボーナスであるＲＢＢが作動することに伴い、ボーナス待機状態に移行することで中断していた指示機能処理の再開を決定可能に構成されている。
【０１６８】
時点ｔ１３において、スロットマシン１では、ＲＢＢ作動状態が終了する。ＲＢＢ作動状態が終了することに伴い、指示機能状態制御手段２００Ｂは、ボーナスの終了に係る共通処理を実行する。ボーナスの終了に係る共通処理において、指示機能状態制御手段２００Ｂは、作動していたＲＢＢが終了することに伴い指示機能状態を当選エリア「ＲＢＢ」に当選した際の指示機能状態であるＣＺ状態に移行し、指示機能ゲーム数カウンタ減算処理を再開する。また、指示機能状態制御手段２００Ｂは、ボーナスの終了に係る共通処理に含まれる期間設定処理を実行することで、指示機能ゲーム数カウンタ２０２ａの記憶値を、内部抽選で当選エリア「ＲＢＢ」に当選した際の記憶値である値「６０」から値「１００」に更新する。ボーナスの終了に係る共通処理の詳細については後述する。
【０１６９】
時点ｔ１３から所定ゲーム（図９（Ａ）に示す例では６０ゲーム）後の時点ｔ１４まで、指示機能状態制御手段２００Ｂは、指示機能ゲーム数カウンタ減算処理によって指示機能ゲーム数カウンタ２０２ａの記憶値を毎ゲーム１ずつ減算する。時点ｔ１３から６０ゲーム後の時点ｔ１４において、スロットマシン１では、内部抽選手段１２０による内部抽選で、設定値記憶手段１９１に記憶される設定値によって当選確率が変更されるボーナスを含む当選エリアである当選エリア「ＣＢＢ」に当選したことに基づき、指示機能状態制御手段２００Ｂが指示機能状態をＣＺ状態からボーナス待機状態に移行する。指示機能状態制御手段２００Ｂは、内部抽選手段１２０による内部抽選で当選した当選エリアに基づく指示機能に係る制御のうち入賞補助制御以外の制御（指示機能処理）が実行されない状態であるボーナス待機状態に移行したことに基づき、指示機能処理に含まれる処理である指示機能ゲーム数カウンタ減算処理の実行を中断する。
【０１７０】
時点ｔ１５において、スロットマシン１では、リール制御手段１３０によるリール停止制御によって有効ラインＬ１〜有効ラインＬ３のいずれかの上にＣＢＢの入賞図柄組合せが表示され、有利期間中にＣＢＢが作動する。時点ｔ１５において、指示機能状態制御手段２００Ｂは、ＣＢＢが作動することに伴い指示機能状態を有利中ＣＢＢ状態に移行する。なお、指示機能状態制御手段２００Ｂは、設定値記憶手段１９１に記憶される設定値によって当選確率が変更されるボーナスであるＣＢＢが作動することに伴い、ボーナス待機状態に移行した際に中断した指示機能処理を引き続き中断する。
【０１７１】
時点ｔ１６において、スロットマシン１では、ＣＢＢ作動状態が終了する。ＣＢＢ作動状態が終了することに伴い、指示機能状態制御手段２００Ｂは、ボーナスの終了に係る共通処理を実行する。ボーナスの終了に係る共通処理において、指示機能状態制御手段２００Ｂは、作動していたＣＢＢが終了することに伴い指示機能状態を当選エリア「ＣＢＢ」に当選した際の指示機能状態であるＣＺ状態に移行し、指示機能ゲーム数カウンタ減算処理を再開する。また、指示機能状態制御手段２００Ｂは、ボーナスの終了に係る共通処理に含まれる期間設定処理を実行することで、指示機能ゲーム数カウンタ２０２ａの記憶値を、内部抽選で当選エリア「ＣＢＢ」に当選した際の記憶値である値「４０」から値「１００」に更新する。ボーナスの終了に係る共通処理の詳細については後述する。
【０１７２】
時点ｔ１６から指示機能ゲーム数カウンタ２０２ａによって管理される期間が終了する時点ｔ１７（図９（Ａ）の例では時点ｔ１６から指示機能ゲーム数カウンタ２０２ａの記憶値が値「０」となる１００ゲーム後）まで、指示機能状態制御手段２００Ｂは、指示機能ゲーム数カウンタ減算処理によって指示機能ゲーム数カウンタ２０２ａの記憶値を毎ゲーム１ずつ減算する。
【０１７３】
時点ｔ１６から１００ゲーム後の時点ｔ１７において、スロットマシン１では、指示機能状態制御手段２００Ｂによる指示機能ゲーム数カウンタ減算処理によって、指示機能ゲーム数カウンタ２０２ａの記憶値が値「０」となる。指示機能状態制御手段２００Ｂは、指示機能ゲーム数カウンタ２０２ａの記憶値が値「０」となったことに基づき、ＡＴ状態への移行条件が成立したと判定し、指示機能状態をＡＴ状態に移行する。
【０１７４】
このように、第２の実施形態の指示機能状態制御手段２００Ｂは、複数の指示機能状態のうちＣＺ状態を開始してから１００ゲームの期間が経過した場合に、１００ゲームの期間が経過したことに基づく指示機能に係る処理として、指示機能状態をＣＺ状態からＡＴ状態に移行する処理を実行するように構成されている。この、ＣＺ状態が、第２の実施形態における特定指示機能状態を構成し、指示機能ゲーム数カウンタ２０２ａの記憶値によって管理される期間が、第２の実施形態における特定期間を構成し、ＣＺ状態において１００ゲームの期間が経過し指示機能状態がＣＺ状態からＡＴ状態に移行される処理が、第２の実施形態における特定指示機能処理を構成する。
【０１７５】
＜ボーナスの作動に係る共通処理＞
図９（Ｂ）は、遊技制御手段１０を構成する各手段が、有利期間中に作動したボーナスが終了した場合（例えば、図９（Ａ）に示す時点ｔ１３及び時点ｔ１６）に実行する各種制御処理を示すフローチャートである。
【０１７６】
まず、指示機能状態制御手段２００Ｂが、ボーナス当選時における指示機能状態がＣＺ状態であったか否かを判定する（Ｓ１１）。この処理において、指示機能状態制御手段２００Ｂは、内部抽選手段１２０による内部抽選において当選エリア「ＲＢＢ」又は当選エリア「ＣＢＢ」に当選した際における指示機能状態がＣＺ状態であったか否かを判定する。
【０１７７】
ステップＳ１１の処理において、指示機能状態がＣＺ状態であると判定した場合には（ＹＥＳ）、指示機能状態制御手段２００Ｂは、指示機能ゲーム数カウンタ２０２ａによって管理される期間に係る設定を行う処理として、期間設定処理を実行する（Ｓ１２）。この処理において、指示機能状態制御手段２００Ｂは、有利期間制御手段２００Ａによって有利期間が開始された状態でＲＢＢ及びＣＢＢのいずれかの作動に係る契機のうち、作動しているＲＢＢの終了又は作動しているＣＢＢの終了という契機が成立したことに基づき、指示機能ゲーム数カウンタ２０２ａに予め定められた値であり初期値と同数の値である値「１００」をセットすることで、指示機能ゲーム数カウンタ２０２ａによって管理される期間を再設定（初期化）する処理を実行する。
【０１７８】
このように、第２の実施形態の指示機能状態制御手段２００Ｂは、当該ボーナスが設定差のある当選エリアに含まれるボーナスであったか否かに関わらず、つまり設定値記憶手段１９１に記憶される設定値によって内部抽選における当選確率が変更される当選エリアであるか否かによらず、有利期間中に作動したボーナスの終了時において、ボーナスの終了に伴いステップＳ１１、ステップＳ１２の処理を実行するように構成されている、これらのステップＳ１１、ステップＳ１２の処理が、第２の実施形態におけるボーナスの作動に係る契機が成立したことに基づく指示機能に係る処理である共通処理及び作動しているボーナスを終了させる契機が成立したことに基づく指示機能に係る処理である終了時共通処理を構成する。
【０１７９】
ステップＳ１２を実行した後又はステップＳ１１の処理において、指示機能状態がＣＺ状態ではないと判定した場合には（ＮＯ）、遊技状態移行制御手段１７０及び指示機能状態制御手段２００Ｂが、ボーナスの作動に係る処理である作動しているボーナス終了時におけるボーナス終了処理を実行し（Ｓ１３）、有利期間中におけるボーナス終了時に実行する各種制御処理を終了する。この処理において、遊技状態移行制御手段１７０は、ボーナス終了処理として、ボーナスの終了に伴い遊技状態をＲＴ４状態に移行する処理と、ボーナスの終了に伴い移行するＲＴ４状態に対応する抽選テーブルを設定する処理と、等を実行する。また、指示機能状態制御手段２００Ｂは、ボーナスの終了に伴う共通処理として、ボーナスの当選時における指示機能状態に指示機能状態を移行する処理と、ボーナスの入賞に伴い指示機能状態制御手段２００Ｂが再開又は中断を継続する指示機能処理を解除する処理と、等を実行する。
【０１８０】
以上のように、第２の実施形態のスロットマシン１は、設定値記憶手段１９１に記憶される設定値によらず内部抽選手段１２０による内部抽選における当選確率が同一のＲＢＢと、設定値記憶手段１９１に記憶される設定値によって内部抽選手段１２０による内部抽選における当選確率が変更されるＣＢＢと、のいずれかのボーナスを作動し、作動したボーナスの終了時（図９（Ａ）に示す時点ｔ１３及び時点ｔ１６）に実行される各種制御処理として、図９（Ｂ）に示すステップＳ１３のボーナス終了時におけるボーナス終了処理に加え、ステップＳ１１、ステップＳ１２に示す指示機能ゲーム数カウンタ２０２ａによって管理される期間に係る設定を行う処理である期間設定処理を、作動しているボーナスを終了させる契機が成立したことに基づく共通処理として実行可能に構成されていることで、いずれの設定値においても商品性を維持することができる。
【０１８１】
また、第２の実施形態のスロットマシン１は、有利期間制御手段２００Ａによって有利期間が開始された状態で、設定値記憶手段１９１に記憶される設定値によらず内部抽選手段１２０による内部抽選における当選確率が同一のＲＢＢと、設定値記憶手段１９１に記憶される設定値によって内部抽選手段１２０による内部抽選における当選確率が変更されるＣＢＢと、のいずれかのボーナスを作動し、作動したボーナスの終了時（図９（Ａ）に示す時点ｔ１３及び時点ｔ１６）に実行される各種制御処理として、図９（Ｂ）に示すステップＳ１３のボーナス終了時におけるボーナス終了処理に加え、ステップＳ１１、ステップＳ１２に示す指示機能ゲーム数カウンタ２０２ａによって管理される期間に係る設定を行う処理である期間設定処理を、作動しているボーナスを終了させる契機が成立したことに基づく共通処理として実行可能に構成されており、設定値記憶手段１９１に記憶される設定値によって内部抽選における当選確率が変更されるように構成されていることで、作動した際に内部抽選手段１２０による内部抽選の結果に基づく指示機能に係る制御の実行が規制されているＣＢＢの作動時においても、指示機能処理として期間設定処理を実行可能となるため、有利期間中におけるＣＢＢの作動時に遊技者の遊技に対する興趣を向上させることができ、有利期間を用いて商品性を向上させることができる。
【０１８２】
特に、第２の実施形態のスロットマシン１は、設定値記憶手段１９１に記憶される設定値が高くなれば高くなる程、内部抽選における当選エリア「ＣＢＢ」の当選確率が高くなるように構成されている。このため、第２の実施形態のスロットマシン１は、設定値記憶手段１９１に記憶される設定値によって内部抽選における当選確率が異なる当選エリアの当選時において、設定値に関連する情報を参照した指示機能処理の実行を行わない構成であるものの、当選エリア「ＣＢＢ」に当選し作動したＣＢＢが終了した際にも共通処理に含まれる期間設定処理が実行されることで、設定値記憶手段１９１に記憶される設定値によって期間設定処理を実行する確率を変化、特に第２の実施形態では設定値を高くすればするほど期間設定処理を実行する確率を高くすることができ、設定値記憶手段１９１に記憶される設定値によって指示機能処理に含まれる処理である期間設定処理を実行する確率を高くすることができる。
【０１８３】
また、第２の実施形態のスロットマシン１は、ＣＺ状態において指示機能ゲーム数カウンタ２０２ａの記憶値が値「０」になる、つまりＣＺ状態において指示機能ゲーム数カウンタ２０２ａによって管理される期間が終了した際にＡＴ状態に移行するという特典が与えられる構成でありながら、ＣＺ状態においてボーナスに当選し、当選したボーナスが作動及び終了した際に指示機能ゲーム数カウンタ２０２ａによって管理される期間を再設定する構成であることで、ＡＴ状態への移行やボーナスの作動が発生することなくＣＺ状態が継続した場合の特典としてＡＴ状態を付与することができ、例えばボーナスの作動及び終了の直後にＡＴ状態が開始される等、過度な射幸性が生じ得る遊技性となってしまうことを防ぐことができる。
【０１８４】
［第３の実施形態］
次に、第１、第２の実施形態を一部変更した第３の実施形態について、図１０に沿って説明する。なお、第３の実施形態の説明においては、第１、第２の実施形態と同様な部分について、同符号を用いて説明し、その詳細な説明は省略する。
【０１８５】
１．ＣＺ状態における制御処理
次に、図１０を参照して、第３の実施形態に係るスロットマシン１が実行するＣＺ状態中における各種制御処理について説明する。
【０１８６】
＜ＣＺ状態中における制御処理＞
図１０は、第３の実施形態のスロットマシン１において、指示機能状態制御手段２００ＢがＣＺ状態で実行する各種制御処理の詳細を示すタイムチャートである。図１０に示すように、スロットマシン１では、非有利期間から有利期間に移行しＣＺ状態が開始された時点ｔ２０において、指示機能ゲーム数カウンタ２０２ａの記憶値として初期値である値「１００」が設定されている。時点ｔ２０から所定ゲーム（図１０に示す例では４０ゲーム）後の時点ｔ２１までにおいて、指示機能状態制御手段２００Ｂは、毎回の遊技の実行時に指示機能ゲーム数カウンタ２０２ａの記憶値を１回の遊技に相当する値「１」ずつ減算する指示機能ゲーム数カウンタ減算処理を実行する。
【０１８７】
時点ｔ２０から４０ゲーム後の時点ｔ２１において、スロットマシン１では、内部抽選手段１２０による内部抽選で、設定値記憶手段１９１に記憶される設定値によらず当選確率が一定のボーナスを含む当選エリアである当選エリア「ＲＢＢ」に当選する。当選エリア「ＲＢＢ」に当選したことに基づき、指示機能状態制御手段２００Ｂは、ボーナスの当選に係る共通処理を実行する。ボーナスの当選に係る共通処理において、指示機能状態制御手段２００Ｂは、有利期間制御手段２００Ａによって有利期間が開始された状態でＲＢＢ及びＣＢＢのいずれかに当選したことに基づき、指示機能ゲーム数カウンタ２０２ａに予め定められた値であり初期値と同数の値である値「１００」をセットすることで、指示機能ゲーム数カウンタ２０２ａによって管理される期間を再設定（初期化）する処理である期間設定処理を実行する。
【０１８８】
期間設定処理の実行後、指示機能状態制御手段２００Ｂは、指示機能状態をＣＺ状態からボーナス待機状態に移行するとともに、内部抽選手段１２０による内部抽選で当選した当選エリアに基づく指示機能に係る制御のうち入賞補助制御以外の制御（指示機能処理）が実行されない状態であるボーナス待機状態に移行したことに基づき、指示機能処理に含まれる処理である指示機能ゲーム数カウンタ減算処理の実行を中断する。
【０１８９】
時点ｔ２２において、スロットマシン１では、リール制御手段１３０によるリール停止制御によって有効ラインＬ１〜有効ラインＬ３のいずれかの上にＲＢＢの入賞図柄組合せが表示され、有利期間中にＲＢＢが作動する。時点ｔ２２において、指示機能状態制御手段２００Ｂは、ＲＢＢが作動することに伴い指示機能状態を有利中ＲＢＢ状態に移行する。なお、指示機能状態制御手段２００Ｂは、設定値記憶手段１９１に記憶される設定値によらず当選確率が変更されないボーナスであるＲＢＢが作動することに伴い、ボーナス待機状態に移行することで中断していた指示機能処理の再開を決定可能に構成されている。
【０１９０】
時点ｔ２３において、スロットマシン１では、ＲＢＢ作動状態が終了する。ＲＢＢ作動状態が終了することに伴い、指示機能状態制御手段２００Ｂは、指示機能状態を有利中ＲＢＢ状態からＣＺ状態に移行して指示機能ゲーム数カウンタ減算処理を再開し、時点ｔ２３から所定ゲーム（図１０に示す例では６０ゲーム）後の時点ｔ２４まで、指示機能ゲーム数カウンタ２０２ａの記憶値を毎ゲーム１ずつ減算する。
【０１９１】
時点ｔ２３から６０ゲーム後の時点ｔ２４において、スロットマシン１では、内部抽選手段１２０による内部抽選で、設定値記憶手段１９１に記憶される設定値によって当選確率が変更されるボーナスを含む当選エリアである当選エリア「ＣＢＢ」に当選する。当選エリア「ＣＢＢ」に当選したことに基づき、指示機能状態制御手段２００Ｂは、ボーナスの当選に係る共通処理を実行する。ボーナスの当選に係る共通処理において、指示機能状態制御手段２００Ｂは、有利期間制御手段２００Ａによって有利期間が開始された状態でＲＢＢ及びＣＢＢのいずれかに当選したことに基づき、指示機能ゲーム数カウンタ２０２ａに予め定められた値であり初期値と同数の値である値「１００」をセットすることで、指示機能ゲーム数カウンタ２０２ａによって管理される期間を再設定（初期化）する処理である期間設定処理を実行する。
【０１９２】
期間設定処理の実行後、指示機能状態制御手段２００Ｂは、指示機能状態をＣＺ状態からボーナス待機状態に移行するとともに、内部抽選手段１２０による内部抽選で当選した当選エリアに基づく指示機能に係る制御のうち入賞補助制御以外の制御（指示機能処理）が実行されない状態であるボーナス待機状態に移行したことに基づき、指示機能処理に含まれる処理である指示機能ゲーム数カウンタ減算処理の実行を中断する。
【０１９３】
時点ｔ２５において、スロットマシン１では、リール制御手段１３０によるリール停止制御によって有効ラインＬ１〜有効ラインＬ３のいずれかの上にＣＢＢの入賞図柄組合せが表示され、有利期間中にＣＢＢが作動する。時点ｔ２５において、指示機能状態制御手段２００Ｂは、ＣＢＢが作動することに伴い指示機能状態を有利中ＣＢＢ状態に移行する。なお、指示機能状態制御手段２００Ｂは、設定値記憶手段１９１に記憶される設定値によって当選確率が変更されるボーナスであるＣＢＢが作動することに伴い、ボーナス待機状態に移行した際に中断した指示機能処理を引き続き中断する。
【０１９４】
時点ｔ２６において、スロットマシン１では、ＣＢＢ作動状態が終了する。ＣＢＢ作動状態が終了することに伴い、指示機能状態制御手段２００Ｂは、指示機能状態を有利中ＣＢＢ状態からＣＺ状態に移行して指示機能ゲーム数カウンタ減算処理を再開し、時点ｔ２６から指示機能ゲーム数カウンタ２０２ａによって管理される期間が終了する時点ｔ２７（図１０の例では時点ｔ２６から指示機能ゲーム数カウンタ２０２ａの記憶値が値「０」となる１００ゲーム後）まで、指示機能ゲーム数カウンタ２０２ａの記憶値を毎ゲーム１ずつ減算する。
【０１９５】
時点ｔ２６から１００ゲーム後の時点ｔ２７において、スロットマシン１では、指示機能状態制御手段２００Ｂによる指示機能ゲーム数カウンタ減算処理によって、指示機能ゲーム数カウンタ２０２ａの記憶値が値「０」となる。指示機能状態制御手段２００Ｂは、指示機能ゲーム数カウンタ２０２ａの記憶値が値「０」となったことに基づき、ＡＴ状態への移行条件が成立したと判定し、指示機能状態をＡＴ状態に移行する。
【０１９６】
このように、第３の実施形態の指示機能状態制御手段２００Ｂは、複数の指示機能状態のうちＣＺ状態を開始してから１００ゲームの期間が経過した場合に、１００ゲームの期間が経過したことに基づく指示機能に係る処理として、指示機能状態をＣＺ状態からＡＴ状態に移行する処理を実行するように構成されている。この、ＣＺ状態が、第３の実施形態における特定指示機能状態を構成し、指示機能ゲーム数カウンタ２０２ａの記憶値によって管理される期間が、第３の実施形態における特定期間を構成し、ＣＺ状態において１００ゲームの期間が経過し指示機能状態がＣＺ状態からＡＴ状態に移行される処理が、第３の実施形態における特定指示機能処理を構成する。
【０１９７】
以上のように、第３の実施形態のスロットマシン１は、有利期間制御手段２００Ａによって有利期間が開始された状態で、設定値記憶手段１９１に記憶される設定値によらず内部抽選手段１２０による内部抽選における当選確率が同一のＲＢＢと、設定値記憶手段１９１に記憶される設定値によって内部抽選手段１２０による内部抽選における当選確率が変更されるＣＢＢと、のいずれかのボーナスの当選時（図１０に示す時点ｔ２１及び時点ｔ２４）に実行される各種制御処理として、指示機能状態制御手段２００Ｂが、設定値に関連する情報を参照することなくいずれのボーナスであっても当該ボーナスに当選したことに基づく共通処理として、指示機能ゲーム数カウンタ２０２ａによって管理される期間に係る設定を行う処理である期間設定処理を実行可能に構成されており、設定値記憶手段１９１に記憶される設定値によって内部抽選における当選確率が変更されるように構成されていることで、作動した際に内部抽選手段１２０による内部抽選の結果に基づく指示機能に係る制御の実行が規制されているＣＢＢの当選時においても、指示機能処理に含まれる期間設定処理を実行可能となるため、有利期間中におけるＣＢＢの当選時に遊技者の遊技に対する興趣を向上させることができ、有利期間を用いて商品性を向上させることができる。
【０１９８】
特に、第３の実施形態のスロットマシン１は、設定値記憶手段１９１に記憶される設定値が高くなれば高くなる程、内部抽選における当選エリア「ＣＢＢ」の当選確率が高くなるように構成されている。このため、第３の実施形態のスロットマシン１は、設定値記憶手段１９１に記憶される設定値によって内部抽選における当選確率が異なる当選エリアの当選時において、設定値に関連する情報を参照した指示機能処理の実行を行わない構成であるものの、当選エリア「ＣＢＢ」に当選した際にも共通処理に含まれる期間設定処理が実行されることで、設定値記憶手段１９１に記憶される設定値によって期間設定処理を実行する確率を変化、特に第３の実施形態では設定値を高くすればするほど期間設定処理を実行する確率を高くすることができ、設定値記憶手段１９１に記憶される設定値によって指示機能処理に含まれる処理である期間設定処理を実行する確率を高くすることができる。
【０１９９】
また、第３の実施形態のスロットマシン１は、ＣＺ状態において指示機能ゲーム数カウンタ２０２ａの記憶値が値「０」になる、つまりＣＺ状態において指示機能ゲーム数カウンタ２０２ａによって管理される期間が終了した際にＡＴ状態に移行するという特典が与えられる構成でありながら、ＣＺ状態においてボーナスに当選した際に指示機能ゲーム数カウンタ２０２ａによって管理される期間を再設定する構成であることで、ＡＴ状態への移行やボーナスの作動が発生することなくＣＺ状態が継続した場合の特典としてＡＴ状態を付与することができ、例えばボーナスの作動及び終了の直後にＡＴ状態が開始される等、過度な射幸性が生じ得る遊技性となってしまうことを防ぐことができる。
【０２００】
［第４の実施形態］
次に、第１〜第３の実施形態を一部変更した第４の実施形態について、図１１、図１２に沿って説明する。なお、第４の実施形態の説明においては、第１〜第３の実施形態と同様な部分について、同符号を用いて説明し、その詳細な説明は省略する。
【０２０１】
１．構成
図１１は、第４の実施形態のスロットマシン１の機能ブロック図である。第４の実施形態のスロットマシン１において、指示機能状態制御データ記憶手段２０２には、指示機能状態制御手段２００Ｂによって制御される指示機能状態がＣＺ状態である場合に、１回の遊技が実行される都度、１ゲームに相当する値である値「１」ずつ記憶値が減算されることで、ＣＺ状態が継続した期間を管理するカウンタである第１指示機能ゲーム数カウンタ２０２ｂと、遊技状態移行制御手段１７０によってＲＢＢ作動状態又はＣＢＢ作動状態の終了後に移行される遊技状態であるＲＴ４状態が開始されてから、１回の遊技が実行される都度、１ゲームに相当する値である値「１」ずつ記憶値が減算されることで、ボーナスが終了してから経過した期間を管理するカウンタである第２指示機能ゲーム数カウンタ２０２ｃと、が含まれている。
【０２０２】
指示機能状態制御手段２００Ｂは、指示機能状態制御手段２００Ｂによる制御の実行時に参照されるデータを記憶する指示機能状態制御データ記憶手段２０２に含まれるカウンタであり、ＣＺ状態において実行された遊技回数を計数するカウンタである第１指示機能ゲーム数カウンタ２０２ｂの記憶値に対して、ＣＺ状態において１回の遊技が実行される都度、１ゲームに相当する値である値「１」ずつ減算する処理である第１指示機能ゲーム数カウンタ減算処理を実行する。第１指示機能ゲーム数カウンタ減算処理によって第１指示機能ゲーム数カウンタ２０２ｂの記憶値が値「０」になった場合に、指示機能状態制御手段２００Ｂは、ＡＴ状態への移行条件が成立したと判定し、指示機能状態をＣＺ状態からＡＴ状態に移行する。
【０２０３】
第４の実施形態において、指示機能状態制御手段２００Ｂは、非有利期間から有利期間に移行し、ＣＺ状態が開始された際に、第１指示機能ゲーム数カウンタ２０２ｂの記憶値に初期値として値「１００」をセットする。また、指示機能状態制御手段２００Ｂは、有利期間中においてＲＢＢ又はＣＢＢが作動及び終了し、遊技状態がＲＴ４状態に移行した場合に、第２指示機能ゲーム数カウンタ２０２ｃの記憶値に初期値として値「４」をセットする。指示機能状態制御手段２００Ｂは、第２指示機能ゲーム数カウンタ２０２ｃの記憶値に初期値をセットした場合に、１回の遊技が実行される都度、第２指示機能ゲーム数カウンタ２０２ｃの記憶値から１ゲームに相当する値である値「１」ずつ減算する処理である第２指示機能ゲーム数カウンタ減算処理を実行する。そして、指示機能状態制御手段２００Ｂは、第２指示機能ゲーム数カウンタ減算処理によって第２指示機能ゲーム数カウンタ２０２ｃの記憶値が値「０」となった場合に、第１指示機能ゲーム数カウンタ２０２ｂの記憶値を設定する処理である期間設定処理を実行する。期間設定処理の詳細については、後述する。
【０２０４】
２．ＣＺ状態における制御処理
次に、図１２を参照して、第４の実施形態に係るスロットマシン１が実行するＣＺ状態中における各種制御処理について説明する。
【０２０５】
＜ＣＺ状態中における制御処理＞
図１２は、第４の実施形態のスロットマシン１において、指示機能状態制御手段２００ＢがＣＺ状態で実行する各種制御処理の詳細を示すタイムチャートである。図１２に示すように、スロットマシン１では、非有利期間から有利期間に移行しＣＺ状態が開始された時点ｔ４０において、第１指示機能ゲーム数カウンタ２０２ｂの記憶値として初期値である値「１００」が設定されている。また、時点ｔ４０において、スロットマシン１では、遊技状態が非ボーナス状態（図１２に示す例ではＲＴ１状態）に制御されている。時点ｔ４０から所定ゲーム（図１２に示す例では４０ゲーム）後の時点ｔ４１までにおいて、指示機能状態制御手段２００Ｂは、毎回の遊技の実行時に第１指示機能ゲーム数カウンタ２０２ｂの記憶値を１回の遊技に相当する値「１」ずつ減算する第１指示機能ゲーム数カウンタ減算処理を実行する。
【０２０６】
時点ｔ４０から４０ゲーム後の時点ｔ４１において、スロットマシン１では、内部抽選手段１２０による内部抽選で、設定値記憶手段１９１に記憶される設定値によらず当選確率が一定のボーナスを含む当選エリアである当選エリア「ＲＢＢ」に当選したことに基づき、指示機能状態制御手段２００Ｂが指示機能状態をＣＺ状態からボーナス待機状態に移行するとともに、遊技状態移行制御手段１７０が遊技状態を非ボーナス状態からボーナス成立状態に移行する。指示機能状態制御手段２００Ｂは、内部抽選手段１２０による内部抽選で当選した当選エリアに基づく指示機能に係る制御のうち入賞補助制御以外の制御（指示機能処理）が実行されない状態であるボーナス待機状態に移行したことに基づき、指示機能処理に含まれる処理である第１指示機能ゲーム数カウンタ減算処理の実行を中断する。
【０２０７】
時点ｔ４２において、スロットマシン１では、リール制御手段１３０によるリール停止制御によって有効ラインＬ１〜有効ラインＬ３のいずれかの上にＲＢＢの入賞図柄組合せが表示され、有利期間中にＲＢＢが作動する。時点ｔ４２において、遊技状態移行制御手段１７０は、ＲＢＢが作動することに伴い遊技状態をＲＢＢ作動状態に移行する。また、時点ｔ４２において、指示機能状態制御手段２００Ｂは、ＲＢＢが作動することに伴い指示機能状態を有利中ＲＢＢ状態に移行する。なお、指示機能状態制御手段２００Ｂは、設定値記憶手段１９１に記憶される設定値によらず当選確率が変更されないボーナスであるＲＢＢが作動することに伴い、ボーナス待機状態に移行することで中断していた指示機能処理の再開を決定可能に構成されている。
【０２０８】
時点ｔ４３において、スロットマシン１では、ＲＢＢ作動状態が終了する。ＲＢＢ作動状態が終了することに伴い、遊技状態移行制御手段１７０は、遊技状態をＲＢＢ作動状態からＲＴ４状態に移行する。また、時点ｔ４３において、指示機能状態制御手段２００Ｂは、指示機能状態を有利中ＲＢＢ状態からＣＺ状態に移行するとともに、遊技状態がＲＴ４状態に移行することに伴い、第２指示機能ゲーム数カウンタ２０２ｃに初期値である値「４」をセットし、第２指示機能ゲーム数カウンタ減算処理を開始する。
【０２０９】
時点ｔ４３から４ゲーム後の時点ｔ４４において、スロットマシン１では、指示機能状態制御手段２００Ｂによる第２指示機能ゲーム数カウンタ減算処理によって、第２指示機能ゲーム数カウンタ２０２ｃの記憶値が値「０」となる。指示機能状態制御手段２００Ｂは、第２指示機能ゲーム数カウンタ２０２ｃの記憶値が値「０」となった、つまり有利期間制御手段２００Ａによって有利期間が開始された状態で作動したＲＢＢ及びＣＢＢのいずれかが終了した後における所定の遊技回数（第４の実施形態では４ゲーム）の遊技が実行されたことに基づき、第１指示機能ゲーム数カウンタ２０２ｂに予め定められた値であり初期値と同数の値である値「１００」をセットすることで、第１指示機能ゲーム数カウンタ２０２ｂによって管理される期間を再設定（初期化）する処理である期間設定処理を実行する。そして、期間設定処理の実行後、指示機能状態制御手段２００Ｂは、指示機能状態がＣＺ状態であることに基づき、時点ｔ４１において実行を中断していた第１指示機能ゲーム数カウンタ減算処理を再開する。
【０２１０】
時点ｔ４５において、スロットマシン１では、内部抽選手段１２０による内部抽選で当選エリア「１枚役１」〜当選エリア「１枚役４」のいずれかに当選したことに基づき、遊技状態移行制御手段１７０が遊技状態をＲＴ４状態からＲＴ１状態に移行する。指示機能状態制御手段２００Ｂは、時点ｔ４４から所定ゲーム（図１２に示す例では６０ゲーム）後であり時点ｔ４５よりも後の時点である時点ｔ４６まで、指示機能ゲーム数カウンタ２０２ａの記憶値を毎ゲーム１ずつ減算するように構成されており、遊技状態移行制御手段１７０によって制御される遊技状態が非ボーナス状態であれば、いずれの遊技状態である場合にも、第１指示機能ゲーム数カウンタ減算処理を実行可能に構成されている。
【０２１１】
時点ｔ４４から６０ゲーム後の時点ｔ４６において、スロットマシン１では、内部抽選手段１２０による内部抽選で、設定値記憶手段１９１に記憶される設定値によって当選確率が変更されるボーナスを含む当選エリアである当選エリア「ＣＢＢ」に当選したことに基づき、指示機能状態制御手段２００Ｂが指示機能状態をＣＺ状態からボーナス待機状態に移行するとともに、遊技状態移行制御手段１７０が遊技状態を非ボーナス状態からボーナス成立状態に移行する。指示機能状態制御手段２００Ｂは、内部抽選手段１２０による内部抽選で当選した当選エリアに基づく指示機能に係る制御のうち入賞補助制御以外の制御（指示機能処理）が実行されない状態であるボーナス待機状態に移行したことに基づき、指示機能処理に含まれる処理である第１指示機能ゲーム数カウンタ減算処理の実行を中断する。
【０２１２】
時点ｔ４７において、スロットマシン１では、リール制御手段１３０によるリール停止制御によって有効ラインＬ１〜有効ラインＬ３のいずれかの上にＣＢＢの入賞図柄組合せが表示され、有利期間中にＣＢＢが作動する。時点ｔ４７において、指示機能状態制御手段２００Ｂは、ＣＢＢが作動することに伴い指示機能状態を有利中ＣＢＢ状態に移行する。なお、指示機能状態制御手段２００Ｂは、設定値記憶手段１９１に記憶される設定値によって当選確率が変更されるボーナスであるＣＢＢが作動することに伴い、ボーナス待機状態に移行した際に中断した指示機能処理を引き続き中断する。
【０２１３】
時点ｔ４８において、スロットマシン１では、ＣＢＢ作動状態が終了する。ＣＢＢ作動状態が終了することに伴い、遊技状態移行制御手段１７０は、遊技状態をＣＢＢ作動状態からＲＴ４状態に移行する。また、時点ｔ４８において、指示機能状態制御手段２００Ｂは、指示機能状態を有利中ＣＢＢ状態からＣＺ状態に移行するとともに、遊技状態がＲＴ４状態に移行することに伴い、第２指示機能ゲーム数カウンタ２０２ｃに初期値である値「４」をセットし、第２指示機能ゲーム数カウンタ減算処理を開始する。
【０２１４】
時点ｔ４８から４ゲーム後の時点ｔ４９において、スロットマシン１では、指示機能状態制御手段２００Ｂによる第２指示機能ゲーム数カウンタ減算処理によって、第２指示機能ゲーム数カウンタ２０２ｃの記憶値が値「０」となる。指示機能状態制御手段２００Ｂは、第２指示機能ゲーム数カウンタ２０２ｃの記憶値が値「０」となった、つまり有利期間制御手段２００Ａによって有利期間が開始された状態で作動したＲＢＢ及びＣＢＢのいずれかが終了した後における所定の遊技回数（第４の実施形態では４ゲーム）の遊技が実行されたことに基づき、第１指示機能ゲーム数カウンタ２０２ｂに予め定められた値であり初期値と同数の値である値「１００」をセットすることで、第１指示機能ゲーム数カウンタ２０２ｂによって管理される期間を再設定（初期化）する処理である期間設定処理を実行する。そして、期間設定処理の実行後、指示機能状態制御手段２００Ｂは、指示機能状態がＣＺ状態であることに基づき、時点ｔ４６において実行を中断していた第１指示機能ゲーム数カウンタ減算処理を再開する。
【０２１５】
時点ｔ５０において、スロットマシン１では、内部抽選手段１２０による内部抽選で当選エリア「１枚役１」〜当選エリア「１枚役４」のいずれかに当選したことに基づき、遊技状態移行制御手段１７０が遊技状態をＲＴ４状態からＲＴ１状態に移行する。また、時点ｔ５１において、スロットマシン１では、内部抽選手段１２０による内部抽選で当選エリア「打順リプレイ１」〜当選エリア「打順リプレイ６」のいずれかに当選し、かつリール制御手段１３０によるリール停止制御によってＲＴ２移行リプレイの入賞図柄組合せが有効ラインＬ１〜有効ラインＬ３のいずれかの上に表示されたことに基づき、遊技状態移行制御手段１７０が遊技状態をＲＴ１状態からＲＴ２状態に移行する。
【０２１６】
上述したように、指示機能状態制御手段２００Ｂは、指示機能状態がＣＺ状態である場合、遊技状態移行制御手段１７０によって制御される遊技状態が非ボーナス状態であれば、いずれの遊技状態である場合にも、第１指示機能ゲーム数カウンタ減算処理を実行可能に構成されていることから、時点ｔ４９から第１指示機能ゲーム数カウンタ２０２ｂによって管理される期間が終了する時点ｔ５２（図１２の例では時点ｔ４９から第１指示機能ゲーム数カウンタ２０２ｂの記憶値が値「０」となる１００ゲーム後）まで、第１指示機能ゲーム数カウンタ２０２ｂの記憶値を毎ゲーム１ずつ減算する。
【０２１７】
時点ｔ４９から１００ゲーム後の時点ｔ５２において、スロットマシン１では、指示機能状態制御手段２００Ｂによる第１指示機能ゲーム数カウンタ減算処理によって、第１指示機能ゲーム数カウンタ２０２ｂの記憶値が値「０」となる。指示機能状態制御手段２００Ｂは、第１指示機能ゲーム数カウンタ２０２ｂの記憶値が値「０」となったことに基づき、ＡＴ状態への移行条件が成立したと判定し、指示機能状態をＡＴ状態に移行する。
【０２１８】
このように、第４の実施形態の指示機能状態制御手段２００Ｂは、複数の指示機能状態のうちＣＺ状態を開始してから１００ゲームの期間が経過した場合に、１００ゲームの期間が経過したことに基づく指示機能に係る処理として、指示機能状態をＣＺ状態からＡＴ状態に移行する処理を実行するように構成されている。この、ＣＺ状態が、第４の実施形態における特定指示機能状態を構成し、第１指示機能ゲーム数カウンタ２０２ｂの記憶値によって管理される期間が、第４の実施形態における特定期間を構成し、ＣＺ状態において１００ゲームの期間が経過し指示機能状態がＣＺ状態からＡＴ状態に移行される処理が、第４の実施形態における特定指示機能処理を構成する。
【０２１９】
以上のように、第４の実施形態のスロットマシン１は、有利期間制御手段２００Ａによって有利期間が開始された状態において、設定値記憶手段１９１に記憶される設定値によらず内部抽選手段１２０による内部抽選における当選確率が同一のＲＢＢと、設定値記憶手段１９１に記憶される設定値によって内部抽選手段１２０による内部抽選における当選確率が変更されるＣＢＢと、のいずれかのボーナスが作動及び終了した後における所定の遊技回数の遊技（図１２に示す時点ｔ４４及び時点ｔ４９）に実行される各種制御処理として、第１指示機能ゲーム数カウンタ２０２ｂによって管理される期間に係る設定を行う処理である期間設定処理を、ボーナス終了後における所定の遊技回数の遊技の実行という契機が成立したことに基づく共通処理として実行可能に構成されており、設定値記憶手段１９１に記憶される設定値によって内部抽選における当選確率が変更されるように構成されていることで、作動した際に内部抽選手段１２０による内部抽選の結果に基づく指示機能に係る制御の実行が規制されているＣＢＢの作動時においても、指示機能処理として期間設定処理を実行可能となるため、有利期間中におけるＣＢＢの作動時に遊技者の遊技に対する興趣を向上させることができ、有利期間を用いて商品性を向上させることができる。
【０２２０】
特に、第４の実施形態のスロットマシン１は、設定値記憶手段１９１に記憶される設定値が高くなれば高くなる程、内部抽選における当選エリア「ＣＢＢ」の当選確率が高くなるように構成されている。このため、第４の実施形態のスロットマシン１は、設定値記憶手段１９１に記憶される設定値によって内部抽選における当選確率が異なる当選エリアの当選時において、設定値に関連する情報を参照した指示機能処理の実行を行わない構成であるものの、当選エリア「ＣＢＢ」に当選し作動したＣＢＢが終了した後に、所定の遊技回数の遊技の実行時にも共通処理に含まれる期間設定処理が実行されることで、設定値記憶手段１９１に記憶される設定値によって期間設定処理を実行する確率を変化、特に第４の実施形態では設定値を高くすればするほど期間設定処理を実行する確率を高くすることができ、設定値記憶手段１９１に記憶される設定値によって指示機能処理に含まれる処理である期間設定処理を実行する確率を高くすることができる。
【０２２１】
また、第４の実施形態のスロットマシン１は、ＣＺ状態において第１指示機能ゲーム数カウンタ２０２ｂの記憶値が値「０」になる、つまりＣＺ状態において第１指示機能ゲーム数カウンタ２０２ｂによって管理される期間が終了した際にＡＴ状態に移行するという特典が与えられる構成でありながら、ＣＺ状態においてボーナスに当選し、当選したボーナスが作動及び終了した後における所定の遊技回数の遊技の実行時に第１指示機能ゲーム数カウンタ２０２ｂによって管理される期間を再設定する構成であることで、ＡＴ状態への移行やボーナスの作動が発生することなくＣＺ状態が継続した場合の特典としてＡＴ状態を付与することができ、例えばボーナスの作動及び終了の直後にＡＴ状態が開始される等、過度な射幸性が生じ得る遊技性となってしまうことを防ぐことができる。
【０２２２】
［他の実施形態］
なお、第１〜第４の実施形態において、指示機能状態制御手段２００Ｂは、特定指示機能処理としてＣＺ状態からＡＴ状態への指示機能状態の移行に係る処理を実行するように構成されているが、これに限定されない。指示機能状態制御手段２００Ｂは、例えば、特定指示機能処理として、入賞補助制御回数カウンタの記憶値を加算（上乗せ）する処理又は上乗せするか否かを決定する抽選に係る処理、ＡＴ抽選等の指示機能状態の移行に係る抽選処理等、指示機能に係る処理を実行するように構成されていれば、本実施形態に限定されるものではない。
【０２２３】
また、第１〜第４の実施形態において、指示機能状態制御手段２００Ｂは、特定指示機能状態としてＣＺ状態を有しているが、これに限定されない。指示機能状態制御手段２００Ｂは、特定指示機能状態として、有利期間中に制御可能で、かつ指示機能処理を実行可能な指示機能状態（例えばＡＴ状態等）であれば、いずれの指示機能状態を有していてもよい。
【０２２４】
また、第１〜第４の実施形態において、指示機能状態制御手段２００Ｂは、期間設定処理として、指示機能ゲーム数カウンタ２０２ａ又は第１指示機能ゲーム数カウンタ２０２ｂに初期値をセットする処理を実行するように構成されているが、これに限定されない。指示機能状態制御手段２００Ｂは、期間設定処理として、例えば、抽選によって決定した所定値をセットする処理や、初期値よりも少ない予め定められた値をセットする処理、初期値よりも多い予め定められた値をセットする処理、指示機能ゲーム数カウンタ２０２ａ又は第１指示機能ゲーム数カウンタ２０２ｂに値「０」をセットする処理を実行し期間設定処理の実行後に特定指示機能処理を実行させるように構成される等、特定期間に係る設定を行う処理を実行するように構成されていれば、本実施形態に限定されない。
【０２２５】
また、第１〜第４の実施形態において、指示機能状態制御手段２００Ｂは、有利期間中にボーナスに当選した際に内部抽選で当選した当選エリアに基づく指示機能処理の実行を継続して中断するように構成されているが、例えば、有利期間中であれば内部抽選で当選した当選エリアを参照することなく常に実行するように設定された指示機能処理については、指示機能状態がボーナス待機状態や有利中ＣＢＢ状態となった場合にも実行可能に構成されていてもよい。
【０２２６】
具体的には、指示機能状態制御手段２００Ｂは、有利期間中は常に毎回の遊技が実行される都度、指示機能状態制御データ記憶手段２０２に含まれるカウンタである特定ゲーム数カウンタの記憶値を１ゲームに相当する値「１」ずつ減算するように構成され、有利期間の開始時や特定ゲーム数カウンタの記憶値を減算することで値「０」になった際に初期値として値「１２５」をセットするとともに、特定ゲーム数カウンタの記憶値を減算することで値「０」となった際に指示機能処理として入賞補助制御回数カウンタの記憶値を加算（上乗せ）するか否かを決定する抽選（上乗せ抽選）に係る処理を実行するように構成されていてもよい。
【０２２７】
このように構成された場合、スロットマシン１では、有利期間中に周期的に実行される上乗せ抽選までに経過する期間に、設定値記憶手段１９１に記憶されている設定値によって内部抽選の当選確率が変更されるボーナスに当選した場合の遊技も含まれることで、該ボーナスに当選することで有利期間の継続する期間を上限となる１５００ゲームに近付ける可能性を高くすることができるようになり、有利期間を用いて商品性を向上させることができる。
【０２２８】
また、このように構成される場合において、指示機能状態制御手段２００Ｂは、ボーナス待機状態では特定ゲーム数カウンタの記憶値の減算を行わず、ボーナスが作動した状態では、作動したボーナスが設定値記憶手段１９１に記憶される設定値によって内部抽選の当選確率が変更されるか否かを問わず特定ゲーム数カウンタの記憶値の減算を行うように構成されていてもよい。
【０２２９】
また、第１、第２の実施形態において、指示機能状態制御手段２００Ｂは、ボーナスの作動に係る共通処理としてＲＢＢとＣＢＢとのいずれの場合にも共通の処理を実行するように構成されているが、これに限定されない。指示機能状態制御手段２００Ｂは、例えば、設定値記憶手段１９１に記憶される設定値によって内部抽選の当選確率が変更されないボーナスの当選時には所定のパラメータを設定し、設定値記憶手段１９１に記憶される設定値によって内部抽選の当選確率が変更されるボーナスの当選時には所定のパラメータを設定しないように構成し、ボーナスの作動に係る共通処理の実行時に該所定のパラメータの有無を参照し、パラメータの有無によって期間設定処理等の指示機能処理の内容を変更するように構成されていてもよい。
【０２３０】
また、第４の実施形態において、指示機能状態制御手段２００Ｂは、ボーナス終了後の所定の遊技回数の遊技での共通処理として、内部抽選手段１２０による内部抽選の結果によらず共通の処理を実行するように構成されているが、これに限定されない。指示機能状態制御手段２００Ｂは、例えば、ボーナスが終了してから所定の遊技回数の遊技が実行されるまでの期間内において、予め定められた特定の遊技の実行時（例えば、ボーナスが終了してから４ゲーム目の遊技の実行時に共通処理を実行する構成において、ボーナスが終了してから１ゲーム目の遊技の実行時）に内部抽選で当選した当選エリアに応じて特定のパラメータを設定し、共通処理の実行時に該特定のパラメータを参照して期間設定処理等の指示機能処理の内容を変更するように構成されていてもよい。
【０２３１】
また、第１〜第４の実施形態において、指示機能状態制御手段２００Ｂは、特定期間として１００ゲームの遊技が実行されるまでの期間を設定しているが、これに限定されない。指示機能状態制御手段２００Ｂは、例えば、特定の役が入賞した回数によって特定期間が継続する期間を設定していてもよく、また、投入数と払出数の差分（差枚数）によって特定期間が継続する期間を設定していてもよく、特定期間を終了するか否かを抽選によって決定するように構成されていてもよい。
【０２３２】
また、第１〜第４の実施形態において、スロットマシン１は、指示機能に係るくじに小役の入賞が含まれないように構成されているが、これに限らず、例えば、ベルと、ベルよりも少ない払出数の配当に設定された特殊小役１〜特殊小役６のいずれかと、に重複当選する当選エリア「打順ベル１」〜当選エリア「打順ベル６」を有し、ストップボタンＢ１〜ストップボタンＢ３の打順、つまりストップスイッチ２４０が検出した停止操作の順序が、当選エリア「打順ベル１」〜当選エリア「打順ベル６」のそれぞれに設定された特定の順序（正解打順）であった場合にベルが入賞し、特定の順序とは異なる順序（不正解打順）であり、かつ特殊小役１〜特殊小役６を入賞させることができる押下タイミングでストップボタンＢ１〜ストップボタンＢ３が押下操作された場合に、当選している特殊小役１〜特殊小役６が入賞するように構成されていてもよい。このように構成された場合、有利期間制御手段２００Ａは、有利期間を開始し有利期間において１５００ゲームの遊技が実行されるまでの間、当選エリア「打順ベル１」〜当選エリア「打順ベル６」の当選時に指示機能状態制御手段２００Ｂによって入賞補助制御が１回実行されるか、有利期間中に入賞するまで成立状態が維持されるボーナス（ＲＢＢ，ＣＢＢ，ＲＢ）が作動するまで、有利期間を終了しないように構成される必要がある。
【０２３３】
また、第１〜第４の実施形態において、有利期間制御手段２００Ａは、非有利期間において当選エリア「ＲＢＢ」に当選した場合と、当選エリア「１枚役１」〜当選エリア「１枚役４」のいずれかに当選した場合と、に有利期間を開始するように構成されているが、これに限らず、例えば、当選エリア「ＲＢＢ」に当選した場合に実行する有利期間を開始するか否かを決定する抽選である有利期間移行抽選において、「有利期間の開始」に当選した場合に、有利期間を開始するように構成されていてもよい。
【０２３４】
また、第１〜第４の実施形態において、スロットマシン１は、規定投入数が３枚である場合に、有効ラインＬ１〜有効ラインＬ３の計３本の有効ラインを有しているが、これに限らず、少なくとも１本の有効ラインを有していればよく、有効ラインの本数は第１〜第４の実施形態に限定されるものではない。
【０２３５】
また、第１〜第４の実施形態において、スロットマシン１は、異なる遊技状態においても同一の内部抽選テーブルを参照した内部抽選が実行される（例えば、非ＲＴ状態と、ＲＴ２状態と、で同一の内部抽選テーブルＡを参照した内部抽選が実行される）ように構成されているが、これに限らず、遊技状態ごとに異なる内部抽選テーブルを参照して内部抽選を実行するように構成されていてもよい。
【０２３６】
また、第１〜第４の実施形態において、遊技状態移行制御手段１７０は、ＲＢＢ作動状態において、ＲＢの入賞図柄組合せの表示によらずにＲＢが連続で作動するように構成されているが、これに限らず、ＲＢＢ作動状態において、当該ボーナス中にＲＢを抽選し、ＲＢの入賞図柄組合せが表示された場合にＲＢが作動するように構成されていてもよい。
【０２３７】
このように構成された場合、スロットマシン１は、ＲＢＢが入賞した場合、ＲＢＢ一般遊技と、ＲＢ遊技と、を実行可能に構成される。スロットマシン１は、ＲＢＢ一般遊技において、小役の当選確率を非ボーナス状態と同一に設定しつつＲＢを抽選対象に設定して内部抽選を行い、ＲＢが当選して当該ボーナスの入賞図柄組合せが有効ラインＬ１上に表示されたことに基づいて、ＲＢを作動させてＲＢ遊技を開始する。また、スロットマシン１は、ＲＢ遊技において、非ボーナス状態よりも高確率で小役が当選するように内部抽選を行い、ＲＢ状態での遊技回数及び小役の入賞回数に基づいて、ＲＢ状態の終了条件が成立したか否かを判断し、ＲＢ状態での遊技回数が所定回数（例えば１２回）に達したこと又はＲＢ状態での小役の入賞回数が所定回数（例えば８回）に達したことのいずれかの終了条件が成立したことを契機としてＲＢ状態を終了させてＲＢＢ一般遊技を再開する。そして、スロットマシン１は、ＲＢＢ一般遊技及びＲＢ遊技によって払い出されたメダルの合計数により終了条件が成立したか否かを判断し、予め定められた終了予定払出数を超えるメダルが払い出されると、ＲＢＢ作動状態を終了させて、遊技状態を非ボーナス状態へ復帰させる。なお、このように構成された場合、指示機能状態制御手段２００Ｂは、ＲＢＢ一般遊技中においては、指示機能に係る制御を実行しないように構成される必要がある。
【０２３８】
また、第１〜第４の実施形態において、スロットマシン１は、各カウンタや記憶手段の記憶値に初期値として値をセットし、毎回の遊技の実行時に１ずつ減算するデクリメント更新や、毎回の遊技の実行時に１ずつ加算するインクリメント更新を実行するように構成されているが、これに限らず、各カウンタや記憶手段の更新方法については特に限定されない。
【０２３９】
また、第１〜第４の実施形態において、スロットマシン１は、制御基板としての遊技制御手段１０を有するように構成されているが、これに限らず、例えば制御基板として主制御基板と副制御基板とを有するように構成されていてもよい。このように構成された場合、スロットマシン１は、内部抽選等の遊技の進行に係る抽選処理やリール制御を実行する各制御手段を主制御基板に有し、演出に係る制御処理として、いわゆるＡＴの当否やＡＴに関する抽選を含む制御処理を実行する各制御手段を副制御基板に有するようにしてもよい。また、ＡＴの当否やＡＴに関する抽選を含む制御処理に関しては、主制御基板を構成する制御手段が実行し、演出に関する制御処理に関しては、副制御基板を構成する制御手段が実行するように構成してもよい。
【符号の説明】
【０２４０】
１        スロットマシン（遊技機）
１００    設定変更手段
１２０    内部抽選手段
１３０    リール制御手段
１４０    入賞判定手段
１７０    遊技状態移行制御手段
１９１    設定値記憶手段
２００Ａ  有利期間制御手段
２００Ｂ  指示機能状態制御手段
２３０    スタートスイッチ
２４０    ストップスイッチ
Ｌ１      有効ライン
Ｌ２      有効ライン
Ｌ３      有効ライン
Ｒ１      第１リール
Ｒ２      第２リール
Ｒ３      第３リール
【図１】
2019107240.tif 000003
【図２】
2019107240.tif 000004
【図３】
2019107240.tif 000005
【図４】
2019107240.tif 000006
【図５】
2019107240.tif 000007
【図６】
2019107240.tif 000008
【図７】
2019107240.tif 000009
【図８】
2019107240.tif 000010
【図９】
2019107240.tif 000011
【図１０】
2019107240.tif 000012
【図１１】
2019107240.tif 000013
【図１２】
2019107240.tif 000014